(57)【要約】【課題】圃場に植え付けられた苗に側方から土寄せする覆土輪の位置を微調整することができる移植機を提供すること。【解決手段】移植機３は、圃場Ｈ１に苗を植え付ける植付装置６８と、植付装置６８を支持する移植フレーム６９と、植付装置６８で植え付けた苗に側方から土寄せする覆土輪７４と、移植フレーム６９に設けられた縦支持部材４０２を有し、覆土輪７４を縦支持部材４０２の周りに位置調整可能で且つ移植フレーム６９の幅方向Ｋ２に調整可能な覆土フレーム４００と、を備える。【選択図】図３８
2018000029.tif 000002
【特許請求の範囲】
【請求項１】
圃場に苗を植え付ける植付装置と、
前記植付装置を支持する移植フレームと、
前記植付装置で植え付けた苗に側方から土寄せする覆土輪と、
前記移植フレームに設けられた縦支持部材を有し、前記覆土輪を縦支持部材の周りに位置調整可能で且つ前記移植フレームの幅方向に調整可能な覆土フレームと、
を備えた移植機。
【請求項２】
前記覆土フレームは、前記縦支持部材を含む第１フレームと、前記第１フレームに前記縦支持部材の周りに位置調整可能に支持されたフレームであって前記覆土輪を支持する第２フレームとを有する請求項１に記載の移植機。
【請求項３】
前記第２フレームは、前記覆土輪を回転自在に支持する第１支持ブラケットと、前記第１支持ブラケットを前後軸回りに位置調整可能に支持する第２支持ブラケットとを有する請求項２に記載の移植機。
【請求項４】
前記第２フレームは、前記第１支持ブラケットに設けられていて前記覆土輪を回転自在に支持する支軸と、前記第２支持ブラケットの前部で且つ前記支軸より前方に設けられていて、前記縦支持部材に、該縦支持部材の周りに位置調整可能に取り付けられる取付部とを有する請求項３に記載の移植機。
【請求項５】
前記第１フレームは、前記移植フレームに取り付けられるブラケット部材と、前記ブラケット部材に前記縦支持部材を昇降可能に連結する平行リンクとを有する請求項２〜４のいずれか１項に記載の移植機。
【請求項６】
前記移植フレームは、前記ブラケット部材を前記幅方向に位置調整可能に取り付けるフレーム支持部を有する請求項５に記載の移植機。
【請求項７】
前記移植フレームは、上下位置調整可能とされ、
前記平行リンクは、前記縦支持部材に上下位置調整可能に取り付けられている請求項５又は６に記載の移植機。
【請求項８】
前記覆土フレームは、前記縦支持部材と前記ブラケット部材とに亘って掛け渡されていて前記覆土輪を下方に付勢するスプリングを有する請求項５〜７のいずれか１項に記載の移植機。
【請求項９】
前記平行リンクは、前記縦支持部材に第１リンクピンを介して枢支され且つ前記ブラケット部材に第２リンクピンを介して枢支されたアッパーリンクと、前記アッパーリンクの下方に位置すると共に前記縦支持部材に第３リンクピンを介して枢支され且つ前記ブラケット部材に第４リンクピンを介して枢支されたロワーリンクとを有し、
前記第１リンクピン、第３リンクピン及び第４リンクピンに、前記スプリングを引っ掛ける掛合部が設けられている請求項８に記載の移植機。
【発明の詳細な説明】
【技術分野】
【０００１】
本発明は、移植機に関する。
【背景技術】
【０００２】
従来、移植機として特許文献１に開示された技術が知られている。
特許文献１に開示された移植機は、圃場に苗を植え付ける植付装置と、植付装置を支持する移植フレームと、植付装置で植え付けた苗に側方から土寄せする覆土輪とを備えている。
覆土輪は、覆土フレームによって移植フレームに支持されている。覆土フレームは、移植フレームに取り付けられた支持杆と、支持杆に取り付けられた取付板と、覆土輪を支持する支持部材とを有する。支持部材は、取付板に複数のボルト及びナットによって取り付けられる。このボルトを挿通するボルト挿通孔は、移植フレームの幅方向（フレーム幅方向という）に長い長穴によって構成されている。これにより、支持部材がボルト挿通孔の長さ方向に位置調整可能とされている。支持部材をボルト挿通孔の長さ方向に位置調整することにより、覆土輪をフレーム幅方向に位置調整することができる。
【先行技術文献】
【特許文献】
【０００３】
【特許文献１】特開２０００−２１７４０６号公報
【発明の概要】
【発明が解決しようとする課題】
【０００４】
上記特許文献１の移植機では、覆土輪の位置調整は、フレーム幅方向に長いボルト挿通孔に沿って行われる調整だけであった。このため、覆土輪の位置を微調整するのが困難であった。
そこで、本発明は、覆土輪の位置を微調整することができる移植機を提供することを目的とする。
【課題を解決するための手段】
【０００５】
本発明の一態様に係る移植機は、圃場に苗を植え付ける植付装置と、前記植付装置を支持する移植フレームと、前記植付装置で植え付けた苗に側方から土寄せする覆土輪と、前記移植フレームに設けられた縦支持部材を有し、前記覆土輪を縦支持部材の周りに位置調整可能で且つ前記移植フレームの幅方向に調整可能な覆土フレームと、を備えている。
また、前記覆土フレームは、前記縦支持部材を含む第１フレームと、前記第１フレームに前記縦支持部材の周りに位置調整可能に支持されたフレームであって前記覆土輪を支持する第２フレームとを有する。
【０００６】
また、前記第２フレームは、前記覆土輪を回転自在に支持する第１支持ブラケットと、前記第１支持ブラケットを前後軸回りに位置調整可能に支持する第２支持ブラケットとを有する。
また、前記第２フレームは、前記第１支持ブラケットに設けられていて前記覆土輪を回転自在に支持する支軸と、前記第２支持ブラケットの前部で且つ前記支軸より前方に設けられていて、前記縦支持部材に、該縦支持部材の周りに位置調整可能に取り付けられる取付部とを有する。
【０００７】
また、前記第１フレームは、前記移植フレームに取り付けられるブラケット部材と、前記ブラケット部材に前記縦支持部材を昇降可能に連結する平行リンクとを有する。
また、前記移植フレームは、前記ブラケット部材を前記幅方向に位置調整可能に取り付けるフレーム支持部を有する。
また、前記移植フレームは、上下位置調整可能とされ、前記平行リンクは、前記縦支持部材に上下位置調整可能に取り付けられている。
【０００８】
また、前記覆土フレームは、前記縦支持部材と前記ブラケット部材とに亘って掛け渡されていて前記覆土輪を下方に付勢するスプリングを有する。
また、前記平行リンクは、前記縦支持部材に第１リンクピンを介して枢支され且つ前記ブラケット部材に第２リンクピンを介して枢支されたアッパーリンクと、前記アッパーリンクの下方に位置すると共に前記縦支持部材に第３リンクピンを介して枢支され且つ前記ブラケット部材に第４リンクピンを介して枢支されたロワーリンクとを有し、前記第１リンクピン、第３リンクピン及び第４リンクピンに、前記スプリングを引っ掛ける掛合部が設けられている。
【発明の効果】
【０００９】
上記移植機は、移植フレームに設けられた縦支持部材を有し、覆土輪を縦支持部材の周りに位置調整可能で且つ移植フレームの幅方向に調整可能な覆土フレームを備えている。即ち、覆土輪は、縦支持部材の周りの位置調整と、移植フレームの幅方向の位置調整とを行うことができる。これにより、覆土輪の位置を微調整することができる。
【図面の簡単な説明】
【００１０】
【図１】作業機の側面図である。
【図２】対地作業機（ロータリ耕耘機）及び移植機の概略平面図である。
【図３】移植機の概略背面図である。
【図４】ロータリ機枠と移植機枠との連結関係を示す側面図である。
【図５】前方椅子の周辺を示す平面図である。
【図６】前方椅子の側面図である。
【図７】前方椅子及び側方椅子に着座した作業者の位置を示す平面図である。
【図８】位置調整機構及び姿勢変更機構の平面図である。
【図９】側方椅子の周辺を示す背面図である。
【図１０】位置調整機構の作用を示す説明図である。
【図１１】姿勢変更機構の側面図である。
【図１２】姿勢変更機構の平面図である。
【図１３】姿勢変更機構の作用を示す説明図である。
【図１４】姿勢変更機構の作用を示す説明図である。
【図１５】姿勢変更機構の作用を示す説明図である。
【図１６】第１高さ変更装置の側面一部断面図である。
【図１７】第１高さ変更装置の背面図である。
【図１８】動力伝達系統を示す概略構成図である。
【図１９】移植フレーム及び植付装置の側面図である。
【図２０】移植フレームの平面図である。
【図２１】移植フレームの背面図である。
【図２２】植付具停止機構の側面図である。
【図２３】植付具停止機構の平面図である。
【図２４】植付装置の平面図である。
【図２５】苗供給装置の概略平面図である。
【図２６】苗供給装置の背面断面図である。
【図２７】供給カップの蓋の配置図である。
【図２８Ａ】マルチフィルム敷設装置の平面図である。
【図２８Ｂ】マルチフィルム敷設装置の平面図である。
【図２９】マルチフィルム敷設装置の側面図である。
【図３０】マルチフィルム敷設装置の背面図である。
【図３１】マルチフィルム敷設装置の前部の平面一部断面図である。
【図３２】マルチフィルム敷設装置の前部の側面一部断面図である。
【図３３】マルチフィルム敷設装置の前部の側面一部断面図である。
【図３４】マルチフィルム敷設装置の後部の平面一部断面図である。
【図３５】マルチフィルム敷設装置の後部の側面一部断面図である。
【図３６】マルチフィルム敷設装置の後部の背面一部断面図である。
【図３７Ａ】溝切り部材の溝切り位置を示す背面図である。
【図３７Ｂ】フィルム押え器の押さえ位置及びゲージ輪を示す背面図である。
【図３８】覆土輪及び覆土フレームの側面図である。
【図３９】覆土輪及び覆土フレームの背面図である。
【図４０】覆土フレームの上部の側面断面図である。
【図４１】図４０のＡ−Ａ線矢視断面図である。
【図４２】図４０のＢ−Ｂ線矢視断面図である。
【図４３】図４０のＣ−Ｃ線矢視断面図である。
【図４４】図４０のＤ−Ｄ線矢視断面図である。
【図４５Ａ】縦支持部材の下部の側面一部断面図である。
【図４５Ｂ】図４５ＡのＥ−Ｅ線矢視断面図である。
【図４６】第２フレームの側面一部断面図である。
【図４７】第２フレームの平面一部断面図である。
【発明を実施するための形態】
【００１１】
以下、本発明の実施の形態を図面を参照して説明する。
図１は、走行しながら対地作業（耕耘等）と共に苗の植え付け（移植）を行うことができる作業機４を示している。作業機４は、走行体１と、走行体１の後部に装着された対地作業機２と、対地作業機２に装着された移植機３とを備えている。
本実施形態では、走行体１として走行車両であるトラクタを例示している。また、対地作業機２としてロータリ耕耘機を例示している。なお、走行体１は、トラクタには限定されず、他の走行車両であってもよい。また、対地作業機２は、ロータリ耕耘機に限定されることはなく、圃場に対して作業をする機械であればよい。例えば、対地作業機２は、圃場に畝を立てる畝立て機であってもよい。また、ロータリ耕耘機２は、サイドドライブ式のロータリ耕耘機を例示しているが、センタードライブ式のロータリ耕耘機であってもよい。
【００１２】
図１は、作業機４の側面図を示す。実施形態において特に断らない限り、トラクタ１の運転席５に着座した運転者の前側（図１の左側）を前方、運転者の後側（図１の右側）を後方、運転者の左側（図１の手前側）を左方、運転者の右側（図１の奥側）を右方として説明する。また、トラクタ１の前後方向Ｋ１（図１参照）に直交する方向である水平方向Ｋ２（図２参照）を幅方向として説明する。
【００１３】
図２の矢印Ｋ３方向を幅方向外方、図２の矢印Ｋ４方向を幅方向内方として説明する。幅方向外方とは、トラクタ１の幅方向中央部から右部、或いは、左部へ向かう方向である。言い換えれば、幅方向外方とは、幅方向Ｋ２であってトラクタ１の幅方向中央部から離れる方向のことである。幅方向内方とは、幅方向外方とは反対の方向である。言い換えれば、幅方向内方とは、幅方向Ｋ２であってトラクタ１の幅方向中央部に近づく方向である。
【００１４】
トラクタ（走行体）１は、車体６と、車体６の前部に装着された前輪（図示省略）と、車体６の後部に装着された後輪７とを有する。車体６はエンジン、クラッチを有するクラッチハウジング、変速装置を有するミッションケース、差動装置を有するデフケース等を直結して構成されている。運転席５は、車体６の後部に設けられている。運転席５の前方には、ステアリングホイール８が設けられている。車体６の後部には、動力取出し用のＰＴＯ軸２２が装備されている。
【００１５】
図１に示すように、ロータリ耕耘機２は、トラクタ１の後部に三点リンク機構９及び連結枠１０を介して昇降可能に装着されている。三点リンク機構９は、車体６の後部に装着されている。連結枠１０は、三点リンク機構９の後部に設けられている。連結枠１０にロータリ耕耘機２が取り付けられている。
図１、図２に示すように、ロータリ耕耘機２は、ロータリ機枠（作業機枠）１１を有する。ロータリ機枠１１は、ギヤケース１２と、左のサポートアーム１３Ｌと、右のサポートアーム１３Ｒと、伝動ケース１４と、サイドフレーム１５とを有する。ギヤケース１２は、ロータリ耕耘機２の幅方向Ｋ２の略中央部に位置している。サポートアーム１３Ｌは、ギヤケース１２の左部から左方に突出している。サポートアーム１３Ｒは、ギヤケース１２の右部から右方に突出している。伝動ケース１４の上部は、サポートアーム１３Ｌの左端部に取り付けられている。サイドフレーム１５の上部は、サポートアーム１３Ｒの右端部に取り付けられている。伝動ケース１４の下部とサイドフレーム１５の下部との間には、回転軸１６が設けられている。回転軸１６の外周には、ブラケットを介して多数の耕耘爪１７が固定されている。これら回転軸１６及び耕耘爪１７で耕耘部１８を形成している。
【００１６】
耕耘部１８の上方は、上部カバー１９Ａで覆われている。耕耘部１８の後方は、後部カバー１９Ｂで覆われている。後部カバー１９Ｂは、上端が上部カバー１９Ａに枢支されていて上下揺動自在である。後部カバー１９Ｂは、弾圧装置２０で下方に付勢されている。弾圧装置２０は、バネの力で後部カバー１９Ｂを下方に付勢する装置である。
ギヤケース１２には、取入軸２１が設けられている。この取入軸２１には、ＰＴＯ軸２２の動力がジョイントを介して伝達される。取入軸２１に伝達された動力は、ギヤケース１２内のギヤ機構及びサポートアーム１３Ｌ内のシャフトを介して、伝動ケース１４内のチェーン伝動手段に伝達される。チェーン伝動手段に伝達された動力によって回転軸１６が駆動される。回転軸１６は、図１において矢印Ａ１方向に回転される。回転軸１６がＡ１方向に回転すると、耕耘爪１７が土壌を耕起して後方の後部カバー１９Ｂへと放擲する。耕耘部１８で耕耘された土は、後部カバー１９Ｂで均されて畝の上面が形成される。畝の側面は、後述する畝立て器２３Ｌ，２３Ｒで形成される。
【００１７】
ロータリ機枠１１は、左の支持ステー２４Ｌと、右の支持ステー２４Ｒと、マスト２５を有する。支持ステー２４Ｌは、サポートアーム１３Ｌに固定されている。支持ステー２４Ｒは、サポートアーム１３Ｒに固定されている。マスト２５はギヤケース１２に固定されている。
ロータリ耕耘機２の後方に装着される移植機３は、支持ステー２４Ｌ，２４Ｒに枢支された支持枠２６と、左のゲージ輪（支持輪）２７Ｌと、右のゲージ輪（支持輪）２７Ｒと、マスト２５に枢支された第２高さ変更装置２８と、左の揺動アーム３１Ｌと右の揺動アーム３１Ｒとの間に設けられた第２支持枠２３２（図５参照）と、第２支持枠２３２の前部を下方から支持する下方支持体２３４（図４参照）と、を有する。
【００１８】
支持枠２６は、ゲージ輪２７Ｌ，２７Ｒを支持する枠材である。ゲージ輪２７Ｌ，２７Ｒは、ロータリ耕耘機２（対地作業機）の高さを設定する部材である。言い換えれば、ゲージ輪２７Ｌ，２７Ｒは、ロータリ耕耘機２の耕耘深さを設定する部材である。第２高さ変更装置２８は、支持枠２６を上下に揺動操作してゲージ輪２７Ｌ，２７Ｒの設定を変更する装置である。
【００１９】
図２、図４、図５に示すように、支持枠２６は、支持ステー２４Ｌ，２４Ｒに枢支された前枠２９と、前枠２９の後部に接続された後枠３０とを有する。
前枠２９は、左の揺動アーム３１Ｌと、右の揺動アーム３１Ｒと、上の連結杆３２Ｕと、下の連結杆３２Ｄと、左の縦枠材３３Ｌと、右の縦枠材３３Ｒと、左の接続杆２０２Ｌと、右の接続杆２０２Ｒと、左の支持部材２２４Ｌと、右の支持部材２２４Ｒとを有する。揺動アーム３１Ｌ、揺動アーム３１Ｒ、連結杆３２Ｕ、連結杆３２Ｄ、縦枠材３３Ｌ，３３Ｒ、接続杆２０２Ｌ，２０２Ｒは、パイプ材によって形成されている。
【００２０】
揺動アーム３１Ｌは、前端が枢支板２０１Ｌに挿通された枢軸を介して支持ステー２４Ｌに枢支されている。揺動アーム３１Ｌは、サポートアーム１３Ｌから後方に突出している。揺動アーム３１Ｒは、前端が枢支板２０１ＲＬに挿通された枢軸を介して支持ステー２４Ｒに枢支されている。揺動アーム３１Ｒは、サポートアーム１３Ｒから後方に突出している。連結杆３２Ｕは、揺動アーム３１Ｌと揺動アーム３１Ｒの後端同士を連結している。左の縦枠材３３Ｌは、揺動アーム３１Ｌの左部に上部が固定されていて、揺動アーム３１Ｌの左部から下方に延びている。右の縦枠材３３Ｒは、揺動アーム３１Ｒの右部に上部が固定されていて、揺動アーム３１Ｒの右部から下方に延びている。左の接続杆２０２Ｌは、縦枠材３３Ｌの下部に前部が固定されていて、縦枠材３３Ｌの下部から後方に延びている。右の接続杆２０２Ｒは、縦枠材３３Ｒの下部に前部が固定されていて、縦枠材３３Ｒの下部から後方に延びている。
【００２１】
前枠２９は、揺動アーム３１Ｌ及び揺動アーム３１Ｒの前端の枢支部分を中心として上下に揺動自在である。
図５、図６に示すように、支持部材２２４Ｌ，２２４Ｒは、それぞれ作業者用の（作業者が座るための）椅子２３１Ｌ，２３１Ｒを支持している。以下、便宜上、椅子２３１Ｌ，２３１Ｒを前方椅子と称する。また、右の前方椅子２３１Ｒを第１前方椅子と称し、左の前方椅子２３１Ｌを第２前方椅子と称する。
【００２２】
左の支持部材２２４Ｌは、第２前方椅子２３１Ｌを下方から支持している。支持部材２２４Ｌは、支持杆２２５と、第１縦筒２２６と、第２縦筒２９８と、後部材２２７Ａと、前部材２２７Ｂと、中間部材２２７Ｃとを有する。支持杆２２５は、揺動アーム３１Ｌの前後方向Ｋ１の中途部に右端が固定されており、当該中途部から左方に延びている。第１縦筒２２６は、支持杆２２５の左端に固定されて上方に延びている。第１縦筒２２６には、第２縦筒２９８が挿入されて固定されている。第２縦筒２９８は、第１縦筒２２６の上端から上方に突出している。第２縦筒２９８の上端には、中間部材２２７Ｃが固定されている。中間部材２２７Ｃは、前後方向Ｋ１に延びており、前端には前部材２２７Ｂが設けられ、後端には後部材２２７Ａが設けられている。前部材２２７Ｂと後部材２２７Ａとは、前後方向に間隔をあけて、互いに平行に幅方向Ｋ２に延びている。後部材２２７Ａの上面の両端には、スプリング２２８の下端が取り付けられている。前部材２２７Ｂには、回動板２２９が取り付けられている。回動板２２９は、第１板部２２９Ａと第２板部２２９Ｂとを有している。第１板部２２９Ａは、幅方向Ｋ２に延びており、第２前方椅子２３１Ｌの底面前部にボルト２５２で固定されている。第２板部２２９Ｂは、第１板部２２９Ａの幅方向Ｋ２の両端（右端と左端）から夫々下方に延びている。第１板部２２９Ａは、前部材２２７Ｂに対してピン２３０により枢支されている。これにより、回動板２２９は、ピン２３０を支点（中心）として後方（第２前方椅子２３１Ｌに座った作業者が向く方向）に回動可能である。図６の仮想線（二点鎖線）で示すように、第２前方椅子２３１Ｌは、回動板２２９と一体的に挙動し、回動板２２９の後方への回動に伴って後方（第２前方椅子２３１Ｌに座った作業者が向く方向）に向けて傾動する。第２前方椅子２３１Ｌの底面後部には凹部２３１ａが設けられている。この凹部２３１ａにスプリング２２８の上端が嵌まっている。これにより、対地作業機１の駆動に起因して発生する振動が椅子２３１Ｌに伝播することが抑制される。
【００２３】
右の支持部材２２４Ｒは、右の椅子２３１Ｒ（以下、第２前方椅子という）を下方から支持している。支持部材２２４Ｌは、幅方向Ｋ２の中心線を挟んで支持部材２２４Ｌと対称に構成されている。つまり、支持部材２２４Ｒの支持杆２２５は、揺動アーム３１Ｌの前後方向Ｋ１の中途部に右端が固定され、当該中途部から左方に延びている。支持部材２２４Ｒのその他の構成は、支持部材２２４Ｌと同様である。第２前方椅子２３１Ｒは、支持部材２２４Ｒの第１板部に固定されており、後方（第２前方椅子２３１Ｒに座った作業者が向く方向）に向けて傾動可能である。
【００２４】
図７に示すように、第１前方椅子２３１Ｒは、後述する第１苗供給装置７２Ａの前方に位置している。具体的には、第１前方椅子２３１Ｒは、後述する第１苗供給装置７２Ａの経路Ｐの幅方向中心線の前方延長線Ｌ１上に位置している。これにより、作業者Ｈが第１苗供給装置７２Ａ側（後方）を向いて座ることができる。第２前方椅子２３１Ｌは、後述する第２苗供給装置７２Ｂの前方に位置している。具体的には、第２前方椅子２３１Ｌは、後述する第２苗供給装置７２Ｂの経路Ｐの幅方向中心線の前方延長線Ｌ２上に位置している。これにより、作業者Ｈが第２苗供給装置７２Ｂ側（後方）を向いて座ることができる。
【００２５】
図２、図４に示すように、後枠３０は、前枠２９を構成する接続杆２０２Ｌ，２０２Ｒの後部に接続されている。後枠３０は、中央の横枠材３４Ｃと、左の横枠材３４Ｌと、右の横枠材３４Ｒと、左の縦枠材３５Ｌと、右の縦枠材３５Ｒと、左の車輪枠３６Ｌと、右の車輪枠３６Ｒと、左の前部材２０４Ｌと、右の前部材２０４Ｒと、左の後部材２０５Ｌと、右の後部材２０５Ｒと、左の接続杆２０６Ｌと、右の接続杆２０６Ｒとを有する。横枠材３４Ｃ、横枠材３４Ｌ、横枠材３４Ｒ、縦枠材３５Ｌ、縦枠材３５Ｒ、車輪枠３６Ｌ、車輪枠３６Ｒ、前部材２０４Ｌ、前部材２０４Ｒ、後部材２０５Ｌ、後部材２０５Ｒ、接続杆２０６Ｌ、接続杆２０６Ｒは、パイプ材によって形成されている。
【００２６】
図２に示すように、横枠材３４Ｃは、前枠２９の後方に位置し、幅方向Ｋ２に延びている。横枠材３４Ｃは、接続杆２０２Ｌの後端及び接続杆２０２Ｒの後端に連結されている。横枠材３４Ｌは、横枠材３４Ｃの左端に挿入されて固定されていて、横枠材３４Ｃの左端から左方に突出している。横枠材３４Ｒは、横枠材３４Ｃの右端に挿入されて固定されていて、横枠材３４Ｃの右端から右方に突出している。前部材２０４Ｌは、横枠材３４Ｌの左端に前部が固定されていて、横枠材３４Ｌの左端から後方に延びている。前部材２０４Ｒは、横枠材３４Ｒの右端に前部が固定されていて、横枠材３４Ｒの右端から後方に延びている。縦枠材３５Ｌは、横枠材３４Ｃの左部に上端が固定されていて、当該左部から下方に延びている。縦枠材３５Ｒは、横枠材３４Ｃの右部に上端が固定されていて、当該右部から下方に延びている。
【００２７】
図２、図４、図８に示すように、車輪枠３６Ｌは、前部材３７Ｌと後部材３８Ｌとを有する。前部材３７Ｌは、縦枠材３５Ｌの下部に前部が固定されていて、縦枠材３５Ｌの下部から右方に延びている。後部材３８Ｌは、前端が前部材３７Ｌの左端に固定されていて、当該左端から後方に延びている。車輪枠３６Ｒは、前部材３７Ｒと後部材３８Ｒとを有する。前部材３７Ｒは、縦枠材３５Ｒの下部に前部が固定されていて、縦枠材３５Ｒの下部から左方に延びている。後部材３８Ｒは、前端が前部材３７Ｒの右端に固定されていて、当該右端から後方に延びている。
【００２８】
車輪枠３６Ｌの後部には、ゲージ輪（支持輪）２７Ｌが回転自在に取り付けられている。車輪枠３６Ｌの後部には、右のゲージ輪（支持輪）２７Ｒが回転自在に取り付けられている。
ゲージ輪２７Ｌの前方には、畝立て器（リッジャー）２３Ｌが配置されている。ゲージ輪２７Ｒの前方にも、畝立て器（リッジャー）２３Ｒが配置されている。畝立て器２３Ｌは縦枠材３５Ｌの下部に取り付けられている。畝立て器２３Ｒは縦枠材３５Ｒの下部に取り付けられている。畝立て器２３Ｌは、畝の左側面を形成する。畝立て器２３Ｒは、畝の右側面を形成する。
【００２９】
接続杆２０６Ｌは、下部が車輪枠３６Ｌ（後部材３８Ｌ）の前後方向中途部に固定されており、上部が前部材２０４Ｌの前後方向中途部に固定されている。これにより、接続杆２０６Ｌは、車輪枠３６Ｌと前部材２０４Ｌとを接続している。接続杆２０６Ｒは、下部が車輪枠３６Ｒ（後部材３８Ｒ）の前後方向中途部に固定されており、上部が前部材２０４Ｒの前後方向中途部に固定されている。これにより、接続杆２０６Ｒは、車輪枠３６Ｒと前部材２０４Ｒとを接続している。
【００３０】
後部材２０５Ｌは、前部材２０４Ｌの後端に前端が枢支されていて、前部材２０４Ｌの後端から後方に延びている。後部材２０５Ｌの前端には、幅方向Ｋ２に延びる横軸部材２０７Ｌが取り付けられている。前部材２０４Ｌの後端には支持部材２０８Ｌが固定されており、支持部材２０８Ｌには横軸部材２０７Ｌの両端が支持されている。これにより、後部材２０５Ｌは、前部材２０４Ｌに対して横軸部材２０７Ｌを支点（中心）として回動可能となっている。後部材２０５Ｒは、前部材２０４Ｒの後端に前端が枢支されていて、前部材２０４Ｒの後端から後方に延びている。後部材２０５Ｒは、後部材２０５Ｌと同様の構造により、前部材２０４Ｒに対して回動可能となっている。
【００３１】
後部材２０５Ｌの後部には、幅方向外方Ｋ３に突出する突出部材４０Ｌが設けられている。後部材２０５Ｒの後部にも、幅方向外方Ｋ３に突出する突出部材４０Ｒが設けられている。図９に示すように、突出部材４０Ｌには、複数の貫通孔２１０が突出方向（幅方向Ｋ２）に間隔をあけて並んで設けられている。突出部材４０Ｒにも突出部材４０Ｌと同様に、複数のねじ孔（図示せず）が突出方向に間隔をあけて並んで設けられている。貫通孔２１０の数は２以上であればよく、限定はされないが、本実施形態では３つの貫通孔２１０が設けられている。説明の便宜上、幅方向Ｋ２において最も内方に位置するねじ孔を内方貫通孔２１０Ａ、幅方向Ｋ２において最も外方に位置するねじ孔を外方貫通孔２１０Ｃ、内方貫通孔２１０Ａと外方貫通孔２１０Ｃとの間に位置するねじ孔を中間貫通孔２１０Ｂと称する。
【００３２】
突出部材４０Ｌの外周には、筒体２０９Ｌが突出部材４０Ｌに沿って幅方向Ｋ２に移動可能に嵌められている。突出部材４０Ｒの外周には、突出部材４０Ｒに沿って幅方向Ｋ２に移動可能に筒体２０９Ｒが嵌められている。図９において、仮想線円内にＡ−Ａ部の拡大断面を示している。
筒体２０９Ｌには支柱４１Ｌが固定されている。支柱４１Ｌは、筒体２０９Ｌから上方に延びている。筒体２０９Ｒには支柱４１Ｒが固定されている。支柱４１Ｒは、筒体２０９Ｒから上方に延びている。支柱４１Ｌと支柱４１Ｒとの上端には、それぞれ作業者用の（作業者が座るための）椅子４２Ｌ，４２Ｒが設けられている。以下、便宜上、椅子４２Ｌ，４２Ｒを側方椅子４２Ｌ，４２Ｒと称する。また、椅子４２Ｒを第１側方椅子４２Ｒと称し、椅子４２Ｌを第２側方椅子４２Ｌと称する。
【００３３】
図７に示すように、第１側方椅子４２Ｒは、後述する第１苗供給装置７２Ａの幅方向Ｋ２一方側（右方）に位置しており、作業者Ｈが第１苗供給装置７２Ａ側（左方）を向いて座ることができる。第２側方椅子４２Ｌは、後述する第２苗供給装置７２Ｂの幅方向Ｋ２他方側（左方）に位置しており、作業者Ｈが第２苗供給装置７２Ｂ側（右方）を向いて座ることができる。
【００３４】
側方椅子４２Ｌ，４２Ｒは、前方椅子２３１Ｌ，２３１Ｒと同様の構成により、前方（側方椅子４２Ｌ，４２Ｒに座った作業者が向く方向）に傾動可能である。
図９に示すように、筒体２０９Ｌには貫通孔２１１が形成されている。また、図示しないが、筒体２０９Ｒにも筒体２０９Ｌと同様に、貫通孔２１１が形成されている。貫通孔２１１と貫通孔２１０とを重ねて、貫通孔２１１にボルト等（図示せず）を挿入して固定することにより、筒体２０９Ｌ，２０９Ｒを突出部材４０Ｌ、４０Ｒに対して位置決めして固定することができる。
【００３５】
上述した突出部材４０Ｌ、４０Ｒ、筒体２０９Ｌ，２０９Ｒ、貫通孔２１０、貫通孔２１１及びボルト等は、第１側方椅子４２Ｒ及び第２側方椅子４２Ｌの幅方向Ｋ２の位置を調整可能な位置調整機構を構成している。以下、位置調整機構の作用について、第２側方椅子４２Ｌの位置を調整する場合を例として説明する。
第一に、筒体２０９Ｌの貫通孔２１１と突出部材４０Ｌの内方貫通孔２１０Ａとを重ねて、筒体２０９Ｌを突出部材４０Ｌに対してねじにより固定した場合、第２側方椅子４２Ｌは最も幅方向内方の位置（第１位置という）となる（図１０の左図参照）。第二に、貫通孔２１１と外方貫通孔２１０Ｃとを重ねて、筒体２０９Ｌを突出部材４０Ｌに対して固定した場合、第２側方椅子４２Ｌは最も幅方向外方の位置（第２位置という）となる（図１０の右図参照）。第三に、貫通孔２１１と中間貫通孔２１０Ｂとを重ねて、筒体２０９Ｌを突出部材４０Ｌに対して固定した場合、第２側方椅子４２Ｌは第１位置と第２位置との間の位置となる。
【００３６】
左の支柱４１Ｌの下部には、左の台板２１２Ｌが固定されている。台板２１２Ｌは、支柱４１Ｌの上部から幅方向Ｋ２内方に延びている。右の支柱４１Ｒの下部には、台板２１２Ｌが固定されている。台板２１２Ｌ，２１２Ｒは、支柱４１Ｌ，４１Ｒの幅方向内方Ｋ４に位置している。本実施形態の場合、台板２１２Ｌ，２１２Ｒは、平面視において長方形であり、長辺が前後方向Ｋ１を向き、短辺が幅方向Ｋ２を向いている。台板２１２Ｌ，２１２Ｒは、作業者が側方椅子４２Ｌ,４２Ｒに着座したときの足置き部の役割と、当該作業者の足を後述する後支持輪２１３Ｌ，２１３Ｒから保護する機能を有している。台板２１２Ｌは、支柱４１Ｌを介して筒体２０９Ｌに固定されている。そのため、筒体２０９Ｌを突出部材４０Ｌに沿って幅方向Ｋ２に移動させたとき、台板２１２Ｌも筒体２０９Ｌと共に幅方向Ｋ２に移動する。同様に、台板２１２Ｒも筒体２０９Ｒと共に幅方向Ｋ２に移動する。そのため、側方椅子４２Ｌ,４２Ｒの位置を変更しても、側方椅子４２Ｌ，４２Ｒと台板２１２Ｌ，２１２Ｒとの位置関係は変化せず、上記機能は維持される。尚、台板２１２Ｌ，２１２Ｒは、筒体２０９Ｌ，２０９Ｒと共に移動することができる位置に固定すればよく、筒体２０９Ｌ，２０９Ｒに直接固定してもよい。
【００３７】
後部材２０５Ｌの前寄り部分には、ステー２１７Ｌの上部が固定されている。ステー２１７Ｌは、後部材２０５Ｌから下方に延びている。後部材２０５Ｒの前寄り部分にも、同様に、ステー（図示せず）が固定されて下方に延びている。これらのステーの下部には、後述する付勢機構２１５の先端部が取り付けられる。
後部材２０５Ｌの後方寄りの位置には、車輪ステー３９Ｌの上部が固定されている。車輪ステー３９Ｌは、ステー２１７Ｌ及び支柱４１Ｌの後方に位置し、後部材２０５Ｌから下方に延びている。後部材２０５Ｒの後方寄りの位置にも、車輪ステー３９Ｒの上部が固定されている。車輪ステー３９Ｒは、後部材２０５Ｒから下方に延びている。車輪ステー３９Ｌの下部には、後支持輪２１３Ｌが回転自在に取り付けられている。後支持輪２１３Ｌは、ゲージ輪（支持輪）２７Ｌの後方且つ第２側方椅子４２Ｌの下方に位置している。車輪ステー３９Ｒの下部には、後支持輪２１３Ｒが回転自在に取り付けられている。後支持輪２１３Ｒは、ゲージ輪（支持輪）２７Ｒの後方且つ第１側方椅子４２Ｒの下方に位置している。後支持輪２１３Ｌ，２１３Ｒは、側方椅子４２Ｌ，４２Ｒに着座した作業者の重量を支持する。
【００３８】
図５に示すように、第２支持枠２３２は、左の揺動アーム３１Ｌと右の揺動アーム３１Ｒとの間に位置しており、前後方向Ｋ１に延びている。図４に示すように、第２支持枠２３２は、後述する操作部２３３を支持する。第２支持枠２３２は、左の支持枠材２３２Ｌと、右の支持枠材２３２Ｒと、第１接続枠材２３２Ａと、第２接続枠材２３２Ｂと、を有している。支持枠材２３２Ｌ，２３２Ｒは、互いに平行に前後方向Ｋ１に延びている。支持枠材２３２Ｌは、前端がマスト２５の左部に固定されて後方に延びている。支持枠材２３２Ｒは、前端がマスト２５の右部に固定されて後方に延びている。第１接続枠材２３２Ａは、幅方向Ｋ２に延びており、支持枠材２３２Ｌの前後方向の中途部と、支持枠材２３２Ｒの前後方向の中途部とを接続している。第２接続枠材２３２Ｂは、幅方向Ｋ２に延びており、支持枠材２３２Ｌの後端と、支持枠材２３２Ｒの後端とを接続している。
【００３９】
操作部２３３は、ケース２３３Ａと、操作部材２３３Ｂと、ケース２３３Ａの内部に収容された制御機器（図示せず）とを有する。本実施形態においては、ケース２３３Ａは、概ね直方体形状であって、前後方向Ｋ１の長さが幅方向Ｋ２の長さに比べて長い。ケース２３３Ａの幅方向Ｋ２の長さは、支持枠材２３２Ｌの内方端と支持枠材２３２Ｒの内方端との間の距離より大きく設定されている。これにより、ケース２３３Ａの下部は、支持枠材２３２Ｌの上面及び支持枠材２３２Ｒの上面により支持されている。ケース２３３Ａの後部は、後述するブラケット本体６０の前部に接当している。操作部材２３３Ｂは、ケース２３３Ａの上面に設けられている。操作部材２３３Ｂは、苗の植え付けに関する設定操作を行うための部材である。本実施形態では、操作部材２３３Ｂは、回転式の摘みであり、前後方向に並んで複数（４つ）設けられている。操作部材２３３Ｂは、例えば、株間切り換え設定用の摘み、苗空取り設定用の摘み等である。但し、操作部材２３３Ｂの数、種類、配置は、適宜変更することができる。制御機器は、操作部材２２３Ｂの操作に基づいて苗の植え付けに関する設定の制御を行う。
【００４０】
操作部２３３は、第１前方椅子２３１Ｒと第２前方椅子２３１Ｌとの間に配置されている。また、操作部２３３は、第１前方椅子２３１Ｒ及び第２前方椅子２３１Ｌの座面中央よりも前方位置に配置されている。これにより、第１前方椅子２３１Ｒ及び第２前方椅子２３１Ｌに着座した作業者は、着座した状態で幅方向内方に且つ前方に手を伸ばすことで、操作部２３３による操作を行うことができるため、非常に作業性が良い。
【００４１】
図２、図４、図１１〜図１５に示すように、本実施形態の移植機３は、側方椅子４２Ｌ，４２Ｒの姿勢を変更する姿勢変更機構２１４を備えている。
姿勢変更機構２１４は、側方椅子４２Ｌ，４２Ｒの姿勢を、側方椅子４２Ｌ，４２Ｒの座面４２ａが略水平となる第１姿勢（図４参照）と、当該第１姿勢に対して前方（側方椅子４２Ｌに着座した作業者の左手側、側方椅子４２Ｒに着座した作業者の右手側）に傾いた第２姿勢（図１４参照）とに変更可能とする。第２姿勢では、側方椅子４２Ｌ，４２Ｒの座面４２ａは、略垂直（地面に対して略直角）となる。具体的には、第２姿勢において、前部材２０４Ｌに対する後部材２０５Ｌの角度、及び、前部材２０４Ｒに対する後部材２０５Ｒの角度が、９０度以下（例えば、約８０〜９０度）となる。側方椅子４２Ｌ，４２Ｒを使用しないときには、側方椅子４２Ｌ，４２Ｒの姿勢を第２姿勢に変更することにより、移植機３の前後方向Ｋ１の長さを短くすることが可能となる。また、作業者が側方椅子４２Ｌ，４２Ｒに着座していない状態にて、対地作業機（ロータリ耕耘機）２を上昇させたときには、側方椅子４２Ｌ，４２Ｒが自動的に折り畳まれる（第２姿勢になる）。作業者が側方椅子４２Ｌ，４２Ｒに着座している状態にて、対地作業機２が上昇したときには、側方椅子４２Ｌ，４２Ｒの座面が略水平を維持するように、後部材２０５Ｌが前部材２０４Ｌに対して横軸部材２０７Ｌを支点として回動する。
【００４２】
以下、左の側方椅子である第２側方椅子４２Ｌの姿勢を変更する姿勢変更機構２１４の構成及び作用について説明する。第１側方椅子４２Ｒの姿勢を変更する姿勢変更機構の構成及び作用は、第２側方椅子４２Ｌの姿勢を変更する姿勢変更機構２１４の構成及び作用と同様であるため、説明を省略する。
姿勢変更機構２１４は、横軸部材２０７、支持部材２０８、付勢機構２１５、保持機構２１６を含んでいる。
【００４３】
付勢機構２１５は、作業者が、第２側方椅子４２Ｌの姿勢を第１姿勢から第２姿勢へと変更する操作を行うときに、当該操作に要する力を補助する。本実施形態の場合は、付勢機構２１５は、油圧シリンダから構成されたダンパである。ダンパ２１５は、伸長する方向の付勢力を有している。
ダンパ２１５は、第２側方椅子４２Ｌの姿勢の変更操作を補助する。ダンパ２１５の基端部は、接続杆２０６Ｌに取り付けられている。ダンパ２１５の先端部は、ステー２１７Ｌの下部に取り付けられている。ダンパ２１５の付勢力は、作業者が、後部材２０５Ｌを、横軸部材２０７を支点（中心）として上方に回動させる操作（図４の状態から図１４の状態とする操作）を行うときに必要な力を補助する。
【００４４】
図１１に示すように、保持機構２１６は、第２側方椅子４２Ｌを第２姿勢において保持する。保持機構２１６Ｌは、支持杆２１８、枢軸２１９、係止片２２０、係止ピン２２１、スプリング２２２、操作部材２２３から構成されている。支持杆２１８は、前部材２０４Ｌの後端に固定されて上方に延びている。枢軸２１９は、支持杆２１８の上部に取り付けられ、幅方向Ｋ２に延びている。係止片２２０は、基端側が枢軸２１９に固定され、先端側に係止ピン２２１が嵌り込むことができる円弧状の切り欠き２２０ａを有している。係止片２２０は、枢軸２１９を支点（中心）として回動可能である。係止ピン２２１は、後部材２０５Ｌの前部に固定され、幅方向Ｋ２に延びている。スプリング２２２は、一端部が前部材２０４Ｌの後部に突設されたピン２９９に係止され、他端部が係止片２２０に設けられた孔２２０ｂに係止されている。スプリング２２２は、係止片２１９に対して、枢軸２１９を支点（中心）として下方（図１１で時計回り方向）に回動させようとする付勢力を付与している。操作部材２２３は、係止片２２０の基端側に固定されている。操作部材２２３は、作業者が枢軸２１９を支点として係止片２２０を回動させる操作を行う際に把持する部材である。
【００４５】
以下、保持機構２１６の作用について説明する。
先ず、作業者は、上述した姿勢変更機構２１４を使用して、第２側方椅子４２Ｌの姿勢を、第１姿勢から第２姿勢に変更する。第２側方椅子４２Ｌが第２姿勢となった状態で、作業者は、操作部材２２３を把持して係止片２２０を時計回り方向（図１３及び図１５の矢印Ａ方向）に回動し、係止片２２０の切り欠き２２０ａを係止ピン２２１に係止する。図１３及び図１５の左図は係止前の状態を示し、図１４及び図１５の右図は係止後の状態を示す。係止片２２０の切り欠き２２０ａを係止ピン２２１に係止することにより、後部材２０５Ｌが横軸部材２０７Ｌを支点として下向きに回動することが阻止されるため、第２側方椅子４２Ｌが第２姿勢で保持される。また、係止片２２２はスプリング２２２により下向きに付勢されているため、作業者がスプリング２２２の付勢力に抗して係止片２２２を上向きに回動させる操作を行わない限り、切り欠き２２０ａの係止ピン２２１への係止は解除されない。そのため、第２側方椅子４２Ｌを確実に第２姿勢に保持することができる。
【００４６】
図４に示すように、下方支持体２３４は、第２支持枠２３２の前部を下方から支持する。下方支持体２３４は、前方杆２３５と、取付板２３６と、接続棒２３７と、を有している。前方杆２３５は、前端が上部カバー１９Ａの上面の前部にボルトで固定されており、当該前部から後方に延びている。取付板２３６及び接続棒２３７は、幅方向Ｋ２の中心を挟んで左側と右側に夫々設けられている。左側の取付板２３６は、支持枠材２３２Ｌの前部に固定されており、当該前部から下方に延びている。右側の取付板２３６は、支持枠材２３２Ｒの前部に固定されており、当該前部から下方に延びている。左側の接続棒２３７は、前方杆２３５の左部後端と、左側の取付板２３６の下端に夫々ボルトで固定されている。右側の接続棒２３７は、前方杆２３５の右部後端と、右側の取付板２３６の右部下端に夫々ボルトで固定されている。
【００４７】
図４、図５に示すように、第２高さ変更装置２８は、第２カバー筒４３と、第２ネジ杆４４と、第２可動杆４５と、第２操作ハンドル４６と、を有する。第２カバー筒４３の上部はマスト２５に枢支されている。第２ネジ杆４４は、第２カバー筒４３内に内装され、第２操作ハンドル４６で軸心回りに回転操作可能とされている。第２可動杆４５は、第２カバー筒４３の下端から第２カバー筒４３内に挿入され、第２ネジ杆４４に上端部が螺合している。第２可動杆４５の下端部は、連結杆３２Ｕに固定されたブラケット板４７に枢支されている。
【００４８】
第２操作ハンドル４６を操作して第２ネジ杆４４を回転させると、第２可動杆４５が第２ネジ杆４４に対して前進或いは後退する。第２可動杆４５が前進すると、第２可動杆４５が第２カバー筒４３から突出していく。第２可動杆４５が後退すると、第２可動杆４５が第２カバー筒４３内に入っていく。これによって、第２高さ変更装置２８が伸縮して支持枠２６（後枠３０）が上下に揺動し、ゲージ輪２７Ｌ，２７Ｒの高さを変更することができる。ゲージ輪２７Ｌ，２７Ｒの高さを変更することにより、対地作業機２の高さ（耕耘部１８の高さ）が変更されて、耕耘深さを変更することができる。
【００４９】
第２高さ変更装置２８は、対地作業機２の高さを、後述する第１高さ変更装置５０による移植フレーム６９Ａ，６９Ｂの高さの変更とは独立して変更可能である。言い換えれば、第１高さ変更装置５０による移植フレーム６９Ａ，６９Ｂの高さの変更を行うことなく、第２高さ変更装置２８による対地作業機２の高さの変更を行うことができる。また、第２高さ変更装置２８による対地作業機２の高さの変更を行うことなく、第１高さ変更装置５０による移植フレーム６９Ａ，６９Ｂの高さの変更を行うこともできる。
【００５０】
図１〜図３に示すように、移植機３は、複数の取付フレーム４８Ｌ，４８Ｒと、ツールバー４９と、第１高さ変更装置（連結部材）５０と、複数の移植ユニット５１Ａ，５１Ｂとを有する。複数の取付フレーム４８Ｌ，４８Ｒは、第１取付フレーム４８Ｌと、第１取付フレーム４８Ｌとは異なるフレームである第２取付フレーム４８Ｒとを含む。複数の移植ユニット５１Ａ，５１Ｂは、第１移植ユニット５１Ａと、第２移植ユニット５１Ｂとを含む。ツールバー４９は、第１取付フレーム４８Ｌと第２取付フレーム４８Ｒとに亘って取り付けられている。第１移植ユニット５１Ａ及び第２移植ユニット５１Ｂは、ツールバー４９に取り付けられている。ツールバー４９は、第１高さ変更装置５０によって第２支持枠２３２に連結されている。
【００５１】
第１取付フレーム４８Ｌは、移植機３の左部に配置され、ロータリ耕耘機２の左部から後方に延びる。第１取付フレーム４８Ｌは、第１部材５２と、第２部材５３と、第３部材２３９と、を有する。第１部材５２の前端は、伝動ケース１４の上部に着脱自在に取り付け可能で、取付状態では横軸心（幅方向Ｋ２の軸心）回りに回転自在に枢支されている。第１部材５２は、伝動ケース１４の上部から後方に延びている。第２部材５３は、上部が第１部材５２の後端に接続されており、当該後端から下方に延びている。第２部材５３の上下方向の中途部と縦枠材３３Ｌの上下方向の中途部とは、連結部材２９７Ｌにより連結されている。第３部材２３９は、前端が第２部材５３の下端に接続されており、当該下端から後方に延びている。第３部材２３９は、横枠材３４Ｃの上方を通って横枠材３４Ｃよりも後方まで延びている。
【００５２】
第２取付フレーム４８Ｒは、移植機３の右部に配置され、ロータリ耕耘機２の右部から後方に延びる。第２取付フレーム４８Ｒは、第４部材５４と、第５部材５５と、第６部材２４０と、を有する。第４部材５４の前端は、サイドフレーム１５の上部に着脱自在に取り付け可能で、取付状態では横軸心回りに回転自在に枢支されている。第４部材５４は、サイドフレーム１５の上部から後方に延びている。第５部材５５は、上部が第４部材５４の後端に接続されており、当該後端から下方に延びている。第５部材５５の上下方向の中途部と縦枠材３３Ｒの上下方向の中途部とは、連結部材２９７Ｒにより連結されている。第６部材２４０は、前端が第５部材５５の下端に接続されており、当該下端から後方に延びている。第６部材２４０は、横枠材３４Ｃの上方を通って横枠材３４Ｃよりも後方まで延びている。
【００５３】
ツールバー４９は、角パイプから構成され、第１取付フレーム４８Ｌの後部と第２取付フレーム４８Ｒの後部の間に取り付けられている。詳しくは、ツールバー４９は、第３部材２３９の後端から第６部材２４０の後端にわたって設けられている。ツールバー４９の一端側（左側）は、第３部材２３９の後端に着脱自在に取り付けられている。ツールバー４９の他端側（右側）は、第６部材２４０の後端に着脱自在に取り付けられている。
【００５４】
第１高さ変更装置５０は、ツールバー４９の高さを変更することにより、後述する移植フレーム（後述する）の対地作業機２に対する高さを変更する装置(部材)である。言い換えれば、第１高さ変更装置５０は、複数の移植ユニット５１Ａ，５１Ｂの高さを変更して、後述する植付装置の植付深さを変更する装置（部材）である。植付装置は畝（圃場）に苗を植え付ける装置である。
【００５５】
図５、図１６、図１７に示すように、第１高さ変更装置５０は、支持ブラケット５６と、伸縮杆５７と、第１操作ハンドル５８とを有する。
支持ブラケット５６は、ブラケット本体６０と、取付板５９Ｌ，５９Ｒ，５９Ｕと、取付ステー６１Ｌ，６１Ｒと、支持ステー２３８Ｌ，２３８Ｒと、を有する。ブラケット本体６０は、第２接続枠材２３２Ｂの幅方向Ｋ２の中途部に下端が接続されており、当該下端から上方に延びている。ブラケット本体６０の上端の左部には、取付板５９Ｌの前部が固定されている。ブラケット本体６０の上端の右部には、取付板５９Ｒの前部が固定されている。ブラケット本体６０の上端、取付板５９Ｌの上端及び取付板５９Ｒの上端には、取付板５９Ｕの下面が固定されている。取付板５９Ｌには、取付ステー６１Ｌの前部がボルトで固定されている。取付板５９Ｒには、取付ステー６１Ｒの前部がボルトで固定されている。支持ステー２３８Ｌの前端は、マスト２５の左部に固定されている。支持ステー２３８Ｌの後端は、ブラケット本体６０の上下方向中途部の左面に固定されている。支持ステー２３８Ｒの前端は、マスト２５の右部に固定されている。支持ステー２３８Ｒの後端は、ブラケット本体６０の上下方向中途部の右面に固定されている。支持ステー２３８Ｌ，２３８Ｒは、操作部２３３のケース２３３Ａを前後方向に貫通している。
【００５６】
伸縮杆５７は、第１カバー筒６３と、第１ネジ杆６４と、第１可動杆６５とを有する。第１カバー筒６３の上部は、取付ステー６１Ｌと取付ステー６１Ｒとの間に配置されている。また、第１カバー筒６３の上部は、取付ステー６１Ｌと取付ステー６１Ｒに横軸心回りに回転自在に枢支されている。第１ネジ杆６４は、第１カバー筒６３内に内装され、第１操作ハンドル５８で軸心回りに回転操作可能とされている。第１可動杆６５は、第１カバー筒６３の下端から第１カバー筒６３内に挿入され、第１ネジ杆６４に螺合している。第１可動杆６５の下端は、取付片６６Ｌと取付片６６Ｒとの間に挿入されている。第１可動杆６５の下端は、第１可動杆６５及び取付片６６Ｌ，６６Ｒを貫通する支持ピン６７によって取付片６６Ｌ，６６Ｒに枢支されている。取付片６６Ｌと取付片６６Ｒは、ツールバー４９の上面の幅方向Ｋ２中央付近に間隔をあけて固定されている。
【００５７】
第１操作ハンドル５８は、横軸５８ａを介して第１ネジ杆６４の上部に枢支されている。第１操作ハンドル５８を使用するときには、図１６の仮想線（二点鎖線）に示すように、横軸５８ａを支点（中心）として第１操作ハンドル５８を上方に回動させる。これにより、第１操作ハンドル５８を第１ネジ杆６４の軸心回りに回転させることができる。第１操作ハンドル５８は、不使用時には図１６の実線位置にあるため、邪魔にならない。尚、第２操作ハンドル４６についても同様に、使用する際には図４の位置から上方に回動させる。
【００５８】
第１操作ハンドル５８を操作して第１ネジ杆６４を回転させると、第１可動杆６５が第１ネジ杆６４に対して前進或いは後退する。第１可動杆６５が前進すると、第１可動杆６５が第１カバー筒６３から突出していく。第１可動杆６５が後退すると、第１可動杆６５が第１カバー筒６３内に入っていく。したがって、第１操作ハンドル５８を回転操作することで、伸縮杆５７が伸縮して、第１取付フレーム４８Ｌ及び第２取付フレーム４８Ｒが上下に揺動してツールバー４９が上下動する。ツールバー４９が、上下動すると、第１移植ユニット５１Ａ及び第２移植ユニット５１Ｂが上下動する。第１移植ユニット５１Ａ及び第２移植ユニット５１Ｂが上下動することにより、第１移植ユニット５１Ａ及び第２移植ユニット５１Ｂに設けられた植付装置６８Ａ，６８Ｂの高さが変更され、苗の植付深さが変更される。
【００５９】
次に、移植ユニット５１Ａ，５１Ｂについて説明する。
先ず、移植ユニット５１Ａ，５１Ｂの概略構成を説明する。
図２、図３、図１８に示すように、第１移植ユニット５１Ａは、移植機３の右部に配置されている。この第１移植ユニット５１Ａは、移植フレーム（第１移植フレームともいう）６９Ａと、第１伝動軸７０Ａと、電動モータ（原動機）７１と、植付装置（第１植付装置ともいう）６８Ａと、苗供給装置（第１苗供給装置ともいう）７２Ａと、複数の覆土輪７４Ａとを有する。第１移植フレーム６９Ａは、ツールバー４９の右部に着脱自在に取り付けられている。第１植付装置６８Ａ、第１苗供給装置７２Ａ及び複数の覆土輪７４Ａは、第１移植フレーム６９Ａに設けられている。
【００６０】
第２移植ユニット５１Ｂは、第１移植ユニット５１Ａに対して幅方向Ｋ２で並設して設けられる移植ユニットであって、移植機３の左部に配置されている。この第２移植ユニット５１Ｂは、移植フレーム(第２移植フレームともいう)６９Ｂと、第２伝動軸７０Ｂと、植付装置（第２植付装置ともいう）６８Ｂと、苗供給装置（第２苗供給装置ともいう）７２Ａと、複数の覆土輪７４Ｂとを有する。第２移植フレーム６９Ｂは、ツールバー４９の左部に着脱自在に取り付けられている。第２植付装置６８Ｂ、第２苗供給装置７２Ａ及び複数の覆土輪７４Ｂは第２移植フレーム６９Ｂに設けられている。
【００６１】
第１取付フレーム４８Ｌ、第２取付フレーム４８Ｒ、ツールバー４９、第１移植フレーム６９Ａ及び第２移植フレーム６９Ｂで移植機枠７５が構成されている。移植機枠７５は、ロータリ耕耘機２（対地作業機）に対して上下動自在に取り付けられている。
次に、移植フレーム６９Ａ，６９Ｂについて説明する。移植フレーム６９Ａ，６９Ｂは、対地作業機２の後方に設けられている。先に、第１移植ユニット５１Ａの移植フレームである第１移植フレーム６９Ａについて説明する。
【００６２】
図１９〜図２１に示すように、第１移植フレーム６９Ａは、フレーム取付部（取付部）７６と、メインフレーム７７と、植付フレーム７８とを有する。
フレーム取付部７６は、ツールバー４９に取り付けられる部位であり、取付板７９と、複数の取付具８０Ｌ，８０Ｒとを有する。本実施形態では、取付具は２つ（左の第１取付具８０Ｌと右の第２取付具８０Ｒ）であるが、第１取付具８０Ｌと第２取付具８０Ｒの間に追加で取付具を設けてもよい。本実施形態では、取付板７９は、略長方形状であって、長辺を幅方向Ｋ２に向け且つ短辺を上下方向に向けて配置されている。取付板７９の前面は、ツールバー４９の後面に接当する。取付板７９は、４つの角の近傍に貫通孔を有している。取付具８０Ｌ，８０Ｒは、金属製の棒を屈曲して形成されており、上棒部８０Ｕと、下棒部８０Ｄと、前棒部８０Ｆとを有する。上棒部８０Ｕは、前後方向に延びており、ツールバー４９の上面に接当する。下棒部８０Ｄは、前後方向に延びており、ツールバー４９の下面に接当する。上棒部８０Ｕの後端と下棒部８０Ｄの後端には、それぞれねじ部が形成されている。前棒部８０Ｆは、上下方向に延びており、ツールバー４９の前面に接当する。前棒部８０Ｆは、上棒部８０Ｕの前端と下棒部８０Ｄの前端とを繋いでいる。上棒部８０Ｕ及び下棒部８０Ｄは、取付板７９に形成された貫通孔を貫通しており、後端のねじ部が取付板７９の後方に突出している。取付具８０は、上棒部８０Ｕ及び下棒部８０Ｄのねじ部にそれぞれナット１００を螺合することにより、ツールバー４９に取り付けられる。これにより、フレーム取付部７６がツールバー４９に取り付けられる。
【００６３】
図２０に示す植付フレーム７８は、第１植付装置６８Ａが取り付けられるフレームである。植付フレーム７８は、第１縦部材９２と、第２縦部材９３と、第３縦部材９４と、第４縦部材９５と、第５縦部材９６と、第１横部材９７と、第２横部材９８と、第１連結部材２４１と、第２連結部材２４２と、第３連結部材２４３と、第４連結部材２４４と、第５連結部材２４５と、中央部材２４７と、を有する。
【００６４】
中央部材２４７は、植付フレーム７８の幅方向Ｋ２中央部（２つの取付具８０の中間地点）を通って前後方向に延びている。中央部材２４８は、ツールバー４９の上方に配置され、ツールバー４９に対して直交する方向（前後方向）に延びている。
第１横部材９７は、中央部材２４８の上方に配置され、中央部材２４８に対して直交する方向（幅方向Ｋ２）に延びている。第１横部材９７の延設方向（幅方向Ｋ２）の中央付近の下面には、固定板２４９Ｒが固定されており、当該下面から下方に延びている。固定板２４９は、幅方向Ｋ２に間隔をあけて２つ設けられている。２つの固定板２４９の間には、中央部材２４８の前部が固定されている。
【００６５】
第２横部材９８は、第１横部材９７の後方に且つ第１横部材９７と平行に配置されている。第２横部材９８は、中央部材２４８の上方に配置され、中央部材２４８に対して直交する方向（幅方向Ｋ２）に延びている。
第１縦部材９２は、上端が第１横部材９７の下面の左部に固定され、当該左部から下方に延びている。第１縦部材９２の下部は、取付板７９の左部に固定されている。第２縦部材９３は、上端が第１横部材９７の下面の右部に固定され、当該右部から下方に延びている。第２縦部材９３の下部は、取付板７９の右部に固定されている。第３縦部材９４は、第１縦部材９２と第２縦部材９３との中間に配置されている。第３縦部材９４は、上端が第１横部材９７の下面の幅方向Ｋ２中央部に固定されており、当該中央部から下方に延びている。
【００６６】
第４縦部材９５は、第２縦部材９３の後方に配置されている。第４縦部材９５は、上端が第２横部材９８の下面の右部に固定されており、当該右部から下方に延びている。第５縦部材９６は、第３縦部材９４の後方且つ第４縦部材９５の左方に配置されている。第５縦部材９６は、上端が第２横部材９８の下面の幅方向Ｋ２中央部に固定されており、当該中央部から下方に延びている。
【００６７】
第１連結部材２４１は、第１縦部材９２と第３縦部材９４とを連結している。第２連結部材２４１は、第１連結部材２４１の下方において、第１縦部材９２と第３縦部材９４とを連結している。第３連結部材２４３は、第４縦部材９５と第５縦部材９６とを連結している。第４連結部材２４４は、第３連結部材２４３の下方において、第４縦部材９５と第５縦部材９６とを連結している。第５連結部材２４５は、第２縦部材９３と第４縦部材９５とを連結している。
【００６８】
メインフレーム７７は、第１苗供給装置７２Ａ及び複数の覆土輪７４Ａが取り付けられるフレームである。メインフレーム７７は、第１フレーム材８１〜第１１フレーム材９１を有する。第１フレーム材８１〜第１１フレーム材９１は、角パイプ材によって形成されている。
第１フレーム材８１は、取付板７９の後面の幅方向Ｋ２の中央部に固定されており、当該中央部から後方に延びている。第２フレーム材８２は、前部が第１横部材９７の左端に固定されており、当該左端から後方に延びている。第３フレーム材８３は、前部が第１横部材９７の右端に固定されており、当該右端から後方に延びている。第２フレーム材８２の前後中途部には、支持部材２５０が下方突出状に設けられている。第３フレーム材８３の前後中途部には、支持部材２５１が下方突出状に設けられている。支持部材２５０は第２横部材９８より前方に位置しており、支持部材２５１は第２横部材９８より後方に位置している。
【００６９】
第５フレーム材８５は、第２横部材９８の前方に配置され、支持部材２５０の下部と中央部材２４７とを連結している。第６フレーム材８６は、第２横部材９８の後方に配置され、支持部材２５１の下部と中央部材２４７とを連結している。
第７フレーム材８７は、第１フレーム材８１と中央部材２４７とを連結している。具体的には、第７フレーム材８７は、上端が中央部材２４７に固定され、下端が第１フレーム材８１に固定されている。
【００７０】
第８フレーム材８８は、幅方向Ｋ２に延びており、第２フレーム材８２の後端近傍と第３フレーム材８３の後端近傍とを連結している。第８フレーム材８８の延設方向（幅方向Ｋ２）の中央付近の下面には、固定板２５１が固定されており、当該下面から下方に延びている。固定板２５１は、幅方向Ｋ２に間隔をあけて２つ設けられている。２つの固定板２５１の間には、中央部材２４８の後部が固定されている。
【００７１】
第９フレーム材８９は、上端が第２フレーム材８２の下面の後部寄りの位置に固定されており、当該位置から下方に延びている。第１０フレーム材９０は、上端が中央部材２４７の下面の後端近傍の位置に固定されており、当該位置から下方に延びている。第１１フレーム材９１は、上端が第３フレーム材８３の下面の後端に固定されており、当該後端から下方に延びている。
【００７２】
移植フレーム６９Ａは、左のフレーム支持部７３ＡＬと右のフレーム支持部７３ＡＲとを有する。
フレーム支持部７３ＡＬは、幅方向Ｋ２に延びており、第７フレーム材８７と第９フレーム材８９とに渡って取り付けられている。フレーム支持部７３ＡＬの右端は、第７フレーム材８７に固定されている。フレーム支持部７３ＡＬの幅方向Ｋ２の中途部は、第９フレーム材８９に固定されている。フレーム支持部７３ＡＬの左端は、第９フレーム材８９より左方に突出している。フレーム支持部７３ＡＬには、後述する覆土フレーム４００ＡＬを介して左の覆土輪７４ＡＬが取り付けられている。
【００７３】
フレーム支持部７３ＡＲは、フレーム支持部７３ＡＬよりも後方において、幅方向Ｋ２に延びており、第１０フレーム材９０と第１１フレーム材９１とに渡って取り付けられている。フレーム支持部７３ＡＲの左端は、第１０フレーム材９０に固定されている。フレームフレーム支持部７３ＡＲの幅方向Ｋ２の中途部は、第１１フレーム材９１に固定されている。フレーム支持部７３ＡＬの右端は、第１１フレーム材９１より右方に突出している。フレーム支持部７３ＡＲには、後述する覆土フレーム４００ＡＲを介して右の覆土輪７４ＡＲが取り付けられている。
【００７４】
次に、第２移植ユニット５１Ｂの移植フレームである第２移植フレーム６９Ｂについて説明する。
第２移植フレーム６９Ｂも、第１移植フレーム６９Ａと同様に、フレーム取付部（取付部）７６と、メインフレーム７７と、植付フレーム７８とを有する。これらフレーム取付部７６、メインフレーム７７、植付フレーム７８の構成は、前述した構成と同様であるので、説明を省略する。
【００７５】
第２移植フレーム６９Ｂのメインフレーム７７には、第２苗供給装置７２Ｂ及び複数の覆土輪７４Ｂが取り付けられる。第２移植フレーム６９Ｂの植付フレーム７８には、第２植付装置６８Ｂが取り付けられる。
次に、第１移植ユニット５１Ａ及び第２移植ユニット５１Ｂの動力伝達系統について説明する。
【００７６】
図１８に示すように、第１移植ユニット５１Ａの第１伝動軸７０Ａは、幅方向Ｋ２に延びており、一端側（左側）が第１軸受１０１により支持され、他端側（右側）が第２軸受１０２により支持されている。第１軸受１０１は、第３フレーム材８３に取り付けられている。第２軸受１０２は、中央部材２４７に取り付けられている。第１伝動軸７０Ａの右端側は、第２軸受１０２から右方（幅方向外方）に突出している。第１伝動軸７０Ａの左端側は、第１軸受１０３から左方（幅方向内方）に突出している。
【００７７】
第２移植ユニット５１Ｂの第２伝動軸７０Ｂは、幅方向Ｋ２に延びており、左端側が第３軸受１０３により支持され、右端側が第４軸受１０４により支持されている。第３軸受１０３は、中央部材２４７に取り付けられている。第４軸受１０４は、第２フレーム材８２に取り付けられている。第２伝動軸７０Ｂの左端側は、第３軸受１０３から左方（幅方向外方）に突出している。第２伝動軸７０Ｂの右端側は、第４軸受１０４から（右方）幅方向内方に突出している。
【００７８】
第１伝動軸７０Ａの左端側と第２伝動軸７０Ｂの右端側とは、向き合っていて、連結パイプ（連結部材）１０５によって着脱自在に連結されている。
図１８、図２２、図２３に示すように、電動モータ７１は、第１移植ユニット５１Ａにおける第１縦部材９２及び第３縦部材９４の前部に取り付けられた取付板１０６Ａに取り付けられている。電動モータ７１には、出力軸１０７が設けられている。出力軸１０７の上方には、出力軸１０７と平行に第２出力軸２５３が設けられている。第２出力軸２５３は、支持筒２５４Ａにより支持されている。支持筒２５４Ａには、第２出力軸２５３を支持する一対の軸受が保持されている。支持筒２５４Ａの右端側は、第１移植ユニット５１Ａにおける中央部材２４７（以下、中央部材２４７Ａという）により支持されている。支持筒２５４Ａの左端側は、第１移植ユニット５１Ａにおける第１縦部材９２に固定されたステー２５５Ａにより支持されている。
【００７９】
第２移植ユニット５１Ｂの前部には、第３出力軸２６１が設けられている。第３出力軸２６１は、支持筒２５４Ｂにより支持されている。支持筒２５４Ｂには、第３出力軸２６１を支持する一対の軸受が保持されている。支持筒２５４Ｂの右端側は、第２移植ユニット５１Ｂにおける中央部材２４７（以下、中央部材２４７Ｂという）により支持されている。支持筒２５４Ｂの左端側は、第２移植ユニット５１Ｂにおける第１縦部材９２に固定されたステー２５５Ｂにより支持されている。
【００８０】
電動モータ７１の出力軸１０７には、第１スプロケット１１４が設けられている。第２出力軸２５３の左端側には、第２スプロケット１１５が設けられている。第２出力軸２５３の右端側には、第３スプロケット１１６が設けられている。第３スプロケット１１６の右方には、第４スプロケット１１７が配置されている。第４スプロケット１１７は、ブラケット２５８Ａを介して取付板１０６Ａに取り付けられている。第４スプロケット１１７の回転軸と第２出力軸２５３とは、直交する方向に配置されており、ギヤ機構２５９Ａによって連動連結されている。
【００８１】
第１伝動軸７０Ａには、第７スプロケット１２０と第８スプロケット１２１と第９スプロケット１２２とが設けられている。
第１移植ユニット５１Ａにおける中央部材２４７Ａには、支持部材２５６Ａ及び支持部材２５７Ａが下方に突出して設けられている。第２移植ユニット５１Ｂにおける中央部材２４７Ｂには、支持部材２５６Ｂ及び支持部材２５７Ｂが下方に突出して設けられている。支持部材２５６Ａ，２５６Ｂは、第３縦部材９４と第５縦部材９６との間に設けられている。支持部材２５７Ａ，２５７Ｂは、第５縦部材９６の後方に設けられている。
【００８２】
支持部材２５６Ａには、第５スプロケット１１８が設けられている。支持部材２５７Ａには、第６スプロケット１１９が設けられている。支持部材２５７Ａの後方には、第５軸受２７２が設けられている。第５軸受２７２は、中央部材２４７Ａに取り付けられている。第５軸受２７２は、第３伝動軸２６０を支持している。第３伝動軸２６０には、第１０スプロケット１２３と第１１スプロケット１２４とが設けられている。
【００８３】
第２移植ユニット５１Ｂの第３出力軸２６１の右端側には、第１２スプロケット１２５が設けられている。第１２スプロケット１１６の右方には、第１３スプロケット１２６が配置されている。第１３スプロケット１２６は、ブラケット２５８Ｂを介して取付板１０６Ｂに取り付けられている。第１３スプロケット１２６の回転軸と第３出力軸２６１とは、直交する方向に配置されており、ギヤ機構２５９Ｂによって連動連結されている。
【００８４】
第２移植ユニット５１Ｂにおいて、支持部材２５６Ｂには、第１５スプロケット２６４が設けられている。支持部材２５７Ｂには、第１６スプロケット２６５が設けられている。支持部材２５７Ｂの後方には、第６軸受２６２が配置されている。第６軸受２６２は、中央部材２４７Ｂに取り付けられている。第６軸受２６２は、第４伝動軸２６３を支持している。第４伝動軸２６３には、第１７スプロケット２６６と第１８スプロケット２６７とが設けられている。
【００８５】
第２伝動軸７０Ｂには、第１９スプロケット２６８と第２０スプロケット２６９と第２１スプロケット２７０とが設けられている。
電動モータ７１の回転動力は、第１スプロケット１１４から第１チェーン１２６を介して第２スプロケット１１５に伝達されて、第２出力軸２５３が回転する。第２出力軸２５３の動力は、第３スプロケット１１６から第２チェーン１２７を介して第５スプロケット１１８及び第７スプロケット１２０に伝達されて、第１伝動軸７０Ａが回転する。また、第２出力軸２５３の動力は、ギヤ機構２５９Ａを介して第４スプロケット１１７の回転軸へと伝達されて、第４スプロケット１１７が回転する。
【００８６】
第１伝動軸７０Ａの動力は、第８スプロケット１２１から第３チェーン１２８を介して第６スプロケット１１９及び第１０スプロケット１２３に伝達される。第１０スプロケット１２３に伝達された動力は、第３伝動軸２６０を介して第１１スプロケット１２４に伝達される。また、第１伝動軸７０Ａの動力は、第９スプロケット１２２から第４チェーン１３０を介して後述する第２２スプロケット２７１（図１９参照）に伝達される。また、第３伝動軸２６０の動力は、第１１スプロケット１２４から第８チェーン２７３を介して後述する第２３スプロケット２７４（図１９参照）に伝達される。さらに、第１伝動軸７０Ａの動力は、連結パイプ１０５を介して第２伝動軸７０Ｂに伝達される。
【００８７】
第２伝動軸７０Ｂの動力は、第１９スプロケット２６８から第５チェーン１３２を介して第１５スプロケット２６４及び第１２スプロケット１２５に伝達される。第１２スプロケット１２５に伝達された動力は、第３出力軸２６１からギヤ機構２５９Ｂを介して第１３スプロケット１２６に伝達される。また、第２伝動軸７０Ｂの動力は、第２０スプロケット２６９から第６チェーン１３４を介して第１７スプロケット２６６に伝達される。第１７スプロケット２６６に伝達された動力は、第４伝動軸２６３を介して第１８スプロケット２６７に伝達される。さらに、第２伝動軸７０Ｂの動力は、第２１スプロケット２７０から第７チェーン１３６を介して後述する第２４スプロケット２７７（図１９参照）に伝達される。また、第４伝動軸２６３の動力は、第１８スプロケット２６７から第９チェーン２７５を介して後述する第２４スプロケット２７６（図１９参照）に伝達される。
【００８８】
次に、植付装置６８Ａ，６８Ｂについて説明する。先に、第１移植ユニット５１Ａの植付装置である第１植付装置６８Ａについて説明する。
図２４に示すように、第１植付装置６８Ａは、複数台（本実施形態では、２台）の植付機構６８ＡＬ，６８ＡＲを有する。以下、植付機構６８ＡＬを第１植付機構６８ＡＬと称し、植付機構６８ＡＲを第２植付機構６８ＡＲと称する。第１植付機構６８ＡＬは、左側に位置する植付機構である。第２植付機構６８ＡＲは、右側に位置する植付機構である。第１植付機構６８ＡＬと第２植付機構６８ＡＲとは、幅方向Ｋ２で並べて配置されている。第１植付機構６８ＡＬと第２植付機構６８ＡＲとは前後方向Ｋ１において異なる位置に配置されている。つまり、第２植付機構６８ＡＲは、第１植付機構ＡＬに並列し且つ第１植付機構ＡＬと前後方向において異なる位置において移植フレーム６９Ａ，６９Ｂに取り付けられている。本実施形態では、第２植付機構６８ＡＲが第１植付機構６８ＡＬよりも後方に配置されているが、第２植付機構６８ＡＲが第１植付機構６８ＡＬよりも前方に配置されていてもよい。
【００８９】
図１９、図２４に示すように、第１植付機構６８ＡＬは、植付具１３７と、支持体１３８と、昇降装置１３９とを有する。第２植付機構６８ＡＲは、第１植付機構６８ＡＬと同様に、植付具１３７と、支持体１３８と、昇降装置１３９とを有する。以下、第１植付機構６８ＡＬにおける植付具１３７を第１植付具１３７ＡＬと称し、第２植付機構６８ＡＲにおける植付具１３７を第２植付具１３７ＡＲと称することがある。また、第１植付機構６８ＡＬにおける昇降装置１３９を第１昇降装置１３９ＡＬと称し、第２植付機構６８ＡＲにおける昇降装置１３９を第２昇降装置１３９ＡＲと称することがある。
【００９０】
植付具１３７（第１植付具１３７ＡＬ，第２植付具１３７ＡＲ）は、畝（圃場）に苗を植え付ける部材である。植付具１３７は先端が下方に向いたくちばし状を呈し、前構成体１４０と後構成体１４１を有している。植付具１３７は、前構成体１４０と後構成体１４１とが前後方向Ｋ１で離反及び近接することにより開閉自在とされている。また、植付具１３７は、閉じた状態で、上方から苗が供給可能で且つ内部に苗が収容可能とされている。また、植付具１３７は、開いた状態で苗を下方に落下して放出可能とされている。
【００９１】
図２１、図２４に示すように、第１植付機構６８ＡＬにおける支持体１３８は、植付フレーム７８の第１連結部材２４１及び第２連結部材２４２に前部がボルトで固定されている。第２植付機構６８ＡＲにおける支持体１３８は、植付フレーム７８の第３連結部材２４３及び第４連結部材２４４に前部がボルトで固定されている。ここで、第３連結部材２４３及び第４連結部材２４４は、第１連結部材２４１及び第２連結部材２４２よりも後方に位置している。そのため、第２植付機構６８ＡＲにおける支持体１３８は、第１植付機構６８ＡＬにおける支持体１３８よりも後方に位置する。これにより、第２植付機構６８ＡＲは第１植付機構６８ＡＬよりも後方に位置する。図１９に示すように、第１植付機構６８ＡＬと第２植付機構６８ＡＲとの前後方向のずれの大きさは、第１植付具１３７ＡＬと第２植付具１３７ＡＲとが下死点にあるときに側面視にて重ならない程度に設定される。各支持体１３８は、植付フレーム７８に対して、幅方向Ｋ２に取付け位置が変更可能とされている。支持体１３８の取付け位置を変更することにより、植え付けられた苗の条間（植え付けられた苗の幅方向Ｋ２の間隔）を変更することができる。
【００９２】
また、図２４に示すように、２つの植付機構６８ＡＬ，６８ＡＲは、幅方向において、左側の縦部材（第１縦部材９２、第３縦部材９４）と、中央の縦部材（第３縦部材９４、第５縦部材９６）と、右側の縦部材（第４縦部材９５）により支持されている。つまり、幅方向において中央の縦部材（第３縦部材９４、第５縦部材９６）は、２つの植付機構６８ＡＬ，６８ＡＲの両方を支持している。これにより、２つの植付機構（第１植付機構６８ＡＬと第２植付機構６８ＡＲ）は、幅方向の３箇所（左、中央、右）で支持されている。
【００９３】
図１９、図２４に示すように、第１移植ユニット５１Ａにおいては、第１植付機構６８ＡＬの支持体１３８に、第２２スプロケット２７１が支軸１４２によって支持されている。また、第２植付機構６８ＡＲの支持体１３８に、第２３スプロケット２７４が支軸１４２によって支持されている。
昇降装置１３９（第１昇降装置１３９ＡＬ、第２昇降装置１３９ＡＲ）は、植付具１３７を支持して、当該植付具１３７を昇降させる装置である。詳しくは、第１昇降装置１３９ＡＬは第１植付具１３７ＡＬを昇降させる装置であり、第２昇降装置１３９ＡＲは第２植付具１３７ＡＲを昇降させる装置である。昇降装置１３９は、支持体１３８に取り付けられている。昇降装置１３９は、第１ケース１４３と、第２ケース１４４と、取付部材１４５とを有する。第１ケース１４３は、支持体１３８に支軸１４２を介して回転自在に支持されている。第２ケース１４４は、第１ケース１４３の遊端側に回転自在に支持されている。取付部材１４５は、第２ケース１４４に支持されている。取付部材１４５に植付具１３７が支持されている。また、取付部材１４５には、植付具１３７の上方に位置する苗ガイド１４６が設けられている。苗ガイド１４６は、下方に向けて先窄まりの筒状に形成されていて、上方から植付具１３７に供給される苗を植付具１３７に案内する。なお、取付部材１４５は、スプリングによって上方に付勢されている。
【００９４】
支軸１４２によって第１ケース１４３が回転すると、第１ケース１４３の回転に連動して第２ケース１４４が第１ケース１４３とは逆方向に回転するように、第１ケース１４３及び第２ケース１４４内に動力伝達機構が設けられている。また、第１ケース１４３及び第２ケース１４４が回転されることにより取付部材１４５が上下に平行移動して、植付具１３７が上下運動する。
【００９５】
植付具１３７には、上昇した位置（上死点位置）で苗が落下供給される。このとき植付具１３７は閉じた状態であって、該植付具１３７の内部に苗が保持される。その後、植付具１３７は、苗を保持したまま下降して該植付具１３７の下部が畝（圃場）に突入する。植付具１３７は、畝に突入すると開いて畝に植穴を形成すると共に該植穴に苗を放出する（苗を植え付ける）。
【００９６】
上述の通り、第１植付機構６８ＡＬと第２植付機構６８ＡＲとは、幅方向Ｋ２に並んで、前後方向Ｋ１において異なる位置に配置されている。これによって、一つの移植ユニットによって、畝に苗を千鳥状に２条植えする（幅方向Ｋ２で隣接する苗の一方を他方に対して前後一方に位置ずれして植え付ける）ようにしている。
そして、第１植付機構６８ＡＬと第２植付機構６８ＡＲとが前後方向Ｋ１において異なる位置に配置され、第１植付機構６８ＡＬと第２植付機構６８ＡＲとが幅方向の３箇所で支持されていることにより、第１植付機構６８ＡＬと第２植付機構６８ＡＲとを幅方向Ｋ２に接近させて配置することができる。そのため、条間距離を狭くした苗の植え付けを行うことができる。また、第１植付機構６８ＡＬと第２植付機構６８ＡＲとが取り付けられる移植フレーム６９Ａの幅（幅方向Ｋ２の長さ）を短くすることができるため、作業機４を幅方向Ｋ２にコンパクトに構成することが可能となる。
【００９７】
本実施形態では、左と右の植付具１３７（第１植付具１３７ＡＬと第２植付具１３７ＡＲ）が同時に昇降する。また、植付具１３７が停止する際には、左と右の植付具１３７が上死点位置で停止する。株間制御を行うために、植付具１３７を停止させなければならないが、植付具１３７を上下移動範囲の中間位置で停止させると、問題を生じる場合がある。例えば、トマトやとうがらし等の茎のかたい野菜類の苗を植え付ける場合に、植付具１３７が上下移動範囲の中間位置で停止すると、植え付けた苗の茎に植付具１３７が当たり、苗が倒れるおそれがある。本実施形態では、第１植付具１３７ＡＬと第２植付具１３７ＡＲとを前後にずらし、第１植付具１３７ＡＬと第２植付具１３７ＡＲとを同時に昇降させることで千鳥植えを実現しているので、植付具１３７（第１植付具１３７ＡＬと第２植付具１３７ＡＲ）を上死点位置で停止させることができる。これによって、苗の倒れを防止することができる。
【００９８】
第１植付具１３７ＡＬと第２植付具１３７ＡＲとを上死点位置で停止させるための機構（以下、植付具停止機構２８５という）について説明する。
図２２及び図２３に示すように、植付具停止機構２８５は、取付部材２８６、支持杆２８７、ナット２８８Ｕ，２８８Ｄ、揺動部材２８９、支軸２９０、ローラ２９１、スプリング２９２、カム２９３を有している。取付部材２８６は、中央部材２４７Ａの前端近傍に固定されている。取付部材２８６には貫通孔が形成されており、当該貫通孔には支持杆２８７が上下方向に挿通されている。支持杆２８７は、一端側にねじ部２８７ａを有しており、他端側に係止孔２８７ｂを有している。支持杆２８７のねじ部２８７ａには、ナット２８８Ｕ，２８８Ｄが螺合されている。ナット２８８Ｕは取付部材２８６の上面に接当しており、ナット２８８Ｄは取付部材２８６の下面に接当している。ナット２８８Ｕ及びナット２８８Ｄで取付部材２８６を挟むことにより、支持杆２８７が取付部材２８６に取り付けられる。ナット２８８Ｕ及びナット２８８Ｄをねじ部２８７ａに対して移動させて、取付部材２８６に対する支持杆２８７の上下位置を変更することにより、係止孔２８７ｂの上下位置を変更することができる。係止孔２８７ｂの上下位置を変更することにより、スプリング２９２の付勢力を調整することができる。揺動部材２８９は、一端側（前端側）が支軸２９０を介してブラケット２５８Ａに枢支されている。揺動部材２８９は、支軸２９０を支点（中心）として上下に揺動可能である。揺動部材２８９の他方側（後端側）には、係止孔２８９ａが設けられている。揺動部材２８９の一端と他端の間には、ローラ２９１が回転自在に取り付けられている。スプリング２９２は、一端側が支持杆２８７の係止孔２８７ｂに係止され、他端側が揺動部材２８９の係止孔２８９ａに係止されている。カム２９３は、第２出力軸２５３に取り付けられており、第２出力軸２５３と共に回転する。カム２９３は、外周に円弧状の凹部２９３ａを有している。揺動部材２８９には、スプリング２９２の付勢力により、支軸２９０を支点（中心）として上方に揺動しようとする力（図２２の矢印Ａ参照）が付与されている。この力により、ローラ２９１は、カム２９３の外周に押し付けられている。
【００９９】
電動モータ７１が停止すると、スプリング２９２の付勢力により、ローラ２９１がカム２９３の外周に押し付けられながら、図２２の矢印Ｂ方向に回転する。このローラ２９１の回転に伴って、カム２９３がローラ２９１と逆方向（図２２の矢印Ｃ方向）に回転する。ローラ２９１とカム２９３とが互いに逆方向に回転することによって、ローラ２９１がカム２９３の外周に沿って移動する。ローラ２９１は、カム２９３の外周に沿って移動した後、凹部２９３ａに嵌まり込んで移動を停止する。ローラ２９１の移動が停止することにより、カム２９３の回転が停止する。これにより、第２出力軸２５３の回転が停止し、第１植付具１３７ＡＬの移動が停止する。従って、凹部２９３ａの位置（カム２９３の外周における位置）と、第１植付具１３７ＡＬ及び第２植付具１３７ＡＲの上下位置との関係を予め適切に設定しておくことにより、第１植付具１３７ＡＬ及び第２植付具１３７ＡＲを上死点位置で停止させることができる。
【０１００】
また、図２２に示すように、第１植付装置６８Ａは、第１植付具１３７ＡＬ及び第２植付具１３７ＡＲが昇降する際に、上昇動作を補助する上昇補助機構２９４を有している。上昇補助機構２９４は、回転板２９５と、スプリング２９６とを有している。回転板２９５は、第１伝動軸７０Ａに取り付けられており、第１伝動軸７０Ａと共に回転する。スプリング２９６は、一端側が回転板２９５に係止されており、他端側が中央部材２４７Ａに係止されている。スプリング２９６は、第１伝動軸７０Ａの回転に伴う第１植付具１３７ＡＬ及び第２植付具１３７ＡＲの昇降に伴って伸縮する。具体的には、スプリング２９６は、第１植付具１３７ＡＬ及び第２植付具１３７ＡＲが下降したときに伸長し、第１植付具１３７ＡＬ及び第２植付具１３７ＡＲが上昇したときに短縮する。そのため、第１植付具１３７ＡＬ及び第２植付具１３７ＡＲは、下降したときにスプリング２９６の付勢力（引っ張り力）により上昇動作が補助される。これにより、第１植付具１３７ＡＬ及び第２植付具１３７ＡＲには、下降時には自重により下降動作を補助する力（重力）が作用し、上昇時にはスプリング２９６の付勢力により上昇動作を補助する力が作用することとなるため、昇降動作が円滑に行われる。
【０１０１】
次に、第２移植ユニット５１Ｂの植付装置である第２植付装置６８Ｂについて説明する。
図２４に示すように、第２植付装置６８Ｂも、第１植付装置６８Ａと同様に、複数台（本実施形態では、２台）の植付機構６８ＢＬ，６８ＢＲを有する。植付機構６８ＢＬ，６８ＢＲは、幅方向Ｋ２で並べて配置されている。以下、植付機構６８ＢＬを第１植付機構６８ＢＬと称し、植付機構６８ＢＲを第２植付機構６８ＢＲと称する。第１植付機構６８ＢＬは、左側に位置する植付機構である。第２植付機構６８ＢＲは、右側に位置する植付機構である。第１植付機構６８ＢＬと第２植付機構６８ＢＲは、幅方向Ｋ２で並べて配置されている。第１植付機構６８ＢＬと第２植付機構６８ＢＲとは前後方向Ｋ１において異なる位置に配置されている。本実施形態では、第２植付機構６８ＢＲが第１植付機構６８ＢＬよりも後方に配置されているが、第２植付機構６８ＢＲが第１植付機構６８ＢＬよりも前方に配置されていてもよい。
【０１０２】
第１植付機構６８ＢＬは、第１植付機構６８ＡＬと同様に、植付具１３７（第１植付具１３７ＢＬ）と、支持体１３８と、昇降装置１３９（第１昇降装置１３９ＢＬ）とを有する。第２植付機構６８ＢＲは、第２植付機構６８ＡＲと同様に、植付具１３７（第２植付具１３７ＢＲ）と、支持体１３８と、昇降装置１３９（第２昇降装置１３９ＢＲ）とを有する。
【０１０３】
これら植付具１３７と、支持体１３８と、昇降装置１３９とは、前述した構成と同様であるので、説明を省略する。また、第２植付装置６８Ｂも、第１植付装置６８Ａと同様に、植付具停止機構２８５及び上昇補助機構２９４を有する。これら植付具停止機構２８５及び上昇補助機構２９４は、前述した構成と同様であるので、説明を省略する。
図１９、図２４に示すように、第２移植ユニット５１Ｂにおいては、第１植付機構６８ＢＬの支持体１３８に第２４スプロケット２７７が支軸１４２によって支持されている。また、第２植付機構６８ＢＲの支持体１３８に第２４スプロケット２７６が支軸１４２によって支持されている。
【０１０４】
次に、苗供給装置７２Ａ，７２Ｂについて説明する。先に、第１移植ユニット５１Ａの苗供給装置である第１苗供給装置７２Ａについて説明する。
第１苗供給装置７２Ａは、第１植付装置６８Ａの上方に配置されている。第１苗供給装置７２Ａによって、下方に位置する植付具１３７（第１植付装置６８Ａ）に苗を落下させて供給する。第１苗供給装置７２Ａは、図２０に示す第２フレーム材８２、第３フレーム材８３、第８フレーム材８８及び第１横部材９７の上方に、フレームを介して支持されている。
【０１０５】
図２５に示すように、第１苗供給装置７２Ａは、苗が投入される多数の供給カップ１４７，１４８を有する。多数の供給カップ１４７，１４８は、多数の第１供給カップ１４７と、多数の第２供給カップ１４８とを含む。第１供給カップ１４７と第２供給カップ１４８とは、前後に長いループ状の経路Ｐに沿って配置されている。詳しくは、第１供給カップ１４７と第２供給カップ１４８とは、平面視で前後方向Ｋ１に長い長円形を呈するようにループ状に並べて配置されている。また、第１供給カップ１４７と第２供給カップ１４８とは、長円形の配置経路Ｐに沿って交互に配置されている。
【０１０６】
第１供給カップ１４７と第２供給カップ１４８は、移送機構１４９によって前後に長いループ状の経路（長円形の配置経路）Ｐに沿って間欠的に矢印Ｙ方向に移送される。移送機構１４９は、第１回転体１５０と、第２回転体１５１と、索体１５２とを有する。第１回転体１５０及び第２回転体１５１はスプロケットによって構成されている。索体１５２は、無端状のチェーンによって構成されている。第１回転体１５０及び第２回転体１５１は、第１苗供給装置７２Ａを支持するフレームに縦軸心（上下方向の軸心）回りに回転自在に支持されている。第１回転体１５０は、移送機構１４９の前部に位置し、第２回転体１５１は、第１回転体１５０の後方に配置されている。索体１５２は、第１回転体１５０と第２回転体１５１とにわたって掛け渡されている。第１供給カップ１４７及び第２供給カップ１４８は、索体１５２の外周側に索体１５２に沿って配置されている。
【０１０７】
第１回転体１５０の下方には、駆動スプロケット１５３が設けられている。駆動スプロケット１５３は、第１回転体１５０と第３駆動軸１５４を介して一体回転自在に連結されている。駆動スプロケット１５３には、第９チェーン１５５を介して動力が伝達され、第１回転体１５０が回転する。
第１移植ユニット５１Ａにおいては、第４スプロケット１１７から第９チェーン１５５を介して駆動スプロケット１５３に動力が伝達される。第２移植ユニット５１Ｂにおいては、第１３スプロケット１２６から第９チェーン１５５を介して駆動スプロケット１５３に動力が伝達される。
【０１０８】
図２６に示すように、第１供給カップ１４７は、収容部１５６と、取付部１５７と、蓋１５８とを有する。第２供給カップ１４８も、同様に、収容部１６０と、取付部１６１と、蓋１６２とを有する。収容部１５６，１６０は、投入された苗を収容する部位であり、上下開口状の筒体によって構成されている。取付部１５７，１６１は、索体１５２に取り付けられる部位である。蓋１５８，１６２は、収容部１５６，１６０の底部を塞ぐ部材である。蓋１５８，１６２は、収容部１５６，１６０の下部にヒンジ１５９によって枢支されていて、収容部１５６，１６０の下端開口を開閉自在としている。蓋１５８，１６２が閉じていることにより、収容部１５６，１６０内に苗が保持可能であり、蓋１５８，１６２が開くことにより、収容部１５６，１６０から下方に苗が排出可能である。
【０１０９】
図２７に示すように、第１供給カップ１４７の蓋１５８は、第１係合部１６３を有する。第２供給カップ１４８の蓋１６２は、第２係合部１６４を有する。第１係合部１６３は、供給カップ１４７，１４８の配置経路（索体１５２）の内周側に突出している。第２係合部１６４は、供給カップ１４７，１４８の配置経路（索体１５２）の外周側に突出している。
【０１１０】
第１供給カップ１４７は、第１回転体１５０及び第２回転体１５１の左側（第１回転体１５０及び第２回転体１５１の幅方向一方側）で蓋１５８が開く。符号Ｘ１で示す位置が、第１供給カップ１４７の蓋１５８が開く第１開放位置（第１回転体１５０及び第２回転体１５１の幅方向一方側の開放位置）である。第２供給カップ１４８は、第１回転体１５０及び第２回転体１５１の右側（第１回転体１５０及び第２回転体１５１の幅方向他方側）で蓋１５８が開く。符号Ｘ２で示す位置が、第２供給カップ１４８の蓋１５８が開く第２開放位置（第１回転体１５０及び第２回転体１５１の幅方向他方側の開放位置）である。
【０１１１】
第１苗供給装置７２Ａの第１開放位置Ｘ１（幅方向一方側の開放位置）と第２開放位置Ｘ２（幅方向他方側の開放位置）とは、前後方向Ｋ１において異なる位置に設定されている。本実施形態では、第２開放位置Ｘ２が第１開放位置Ｘ１に対して後方に位置ずれしている。第２開放位置Ｘ２が第１開放位置Ｘ１に対して後方に位置ずれしているのに対応して、植付装置６８Ａのうちの第２植付機構６８ＡＲが、第１植付機構６８ＡＬに対して後方に位置ずれしている。
【０１１２】
また、第１開放位置Ｘ１で第１供給カップ１４７の蓋１５８が開き、第２開放位置Ｘ２で第２供給カップ１４８の蓋１６４が開く。また、上述した通り、前後に位置ずれしている第１植付機構６８ＡＬと第２植付機構６８ＡＲとは同時に昇降する。これによって、千鳥植えを実現している。
第１開放位置Ｘ１の下方に植付装置６８Ａの左の植付具１３７（第１植付具１３７ＡＬ）が位置している。第２開放位置Ｘ２の下方に植付装置６８Ａの右の植付具１３７（第２植付具１３７ＡＲ）が位置している。
【０１１３】
第１苗供給装置７２Ａは、供給カップ１４７，１４８の開放位置を、第１回転体１５０及び第２回転体１５１の幅方向一方側と他方側とに設定可能な（第１開放位置Ｘ１、第２開放位置Ｘ２を設定可能な）設定部材１６６を有する。設定部材１６６は、複数の規制杆１６７，１６８，１６９，１７０を含んでいる。説明の便宜上、規制杆１６７のことを第１規制杆１６７、規制杆１６８のことを第２規制杆１６８、規制杆１６９のことを第３規制杆１６９、規制杆１７０のことを第４規制杆１７０という。
【０１１４】
第１規制杆１６７は、第１開放位置Ｘ１及び第２開放位置Ｘ２の前方側において、第１供給カップ１４７及び第２供給カップ１４８の蓋１５８,１６２の下面に接当する。したがって、第１規制杆１６７は、第１開放位置Ｘ１及び第２開放位置Ｘ２の前方側において、第１供給カップ１４７及び第２供給カップ１４８の蓋１５８,１６２の開きを規制する。第２規制杆１６８は、第１開放位置Ｘ１及び第２開放位置Ｘ２の後方側において、第１供給カップ１４７及び第２供給カップ１４８の蓋１５８,１６２の下面に接当する。したがって、第２規制杆１６８は、第１開放位置Ｘ１及び第２開放位置Ｘ２の後方側において、第１供給カップ１４７及び第２供給カップ１４８の蓋１５８,１６２の開きを規制する。
【０１１５】
第３規制杆１６９は、第１開放位置Ｘ１の左側に位置する。第３規制杆１６９は、第１開放位置Ｘ１にある蓋１６２の第２係合部１６４の下面に接当する。これによって、第１開放位置Ｘ１における第２供給カップ１４８の蓋１６２の開きを規制する。第４規制杆１７０は、第２開放位置Ｘ２の左側に位置する。第４規制杆１７０は、第２開放位置Ｘ２にある蓋１５８の第１係合部１６３の下面に接当する。これによって、第２開放位置Ｘ２における第１供給カップ１４７の蓋１５８の開きを規制する。
【０１１６】
第１規制杆１６７の左側後端部、第２規制杆１６８の左側前端部及び第３規制杆１６９とで、第１開放位置Ｘ１を設定する第１設定部１９６が構成されている。第１規制杆１６７の右側後端部、第２規制杆１６８の右側前端部及び第４規制杆１７０とで、第２開放位置Ｘ２を設定する第２設定部１９７が構成されている。
第１開放位置Ｘ１では、第１供給カップ１４７の蓋１５８は、第１規制杆１６７及び第２規制杆１６８から外れており且つ第１係合部１６３は、第３規制杆１６９に支持されない。これによって、第１供給カップ１４７の蓋１５８が開く。このとき、第１植付具１３７ＡＬが上死点位置に移動しており、第１供給カップ１４７から排出された苗が第１植付具１３７ＡＬに供給される。また、第１開放位置Ｘ１に第１供給カップ１４７が位置するときには、第２開放位置Ｘ２には、第２供給カップ１４８が位置する。第２開放位置Ｘ２では、第２供給カップ１４８の蓋１６２は、第１規制杆１６７及び第２規制杆１６８から外れており且つ第２係合部１６４は、第４規制杆１７０に支持されない。これによって、第２供給カップ１４８の蓋１６２が開く。このとき、第２植付具１３７ＡＲが上死点位置に移動しており、第２供給カップ１４８から排出された苗が第２植付具１３７ＡＲに供給される。
【０１１７】
また、第２供給カップ１４８が第１開放位置Ｘ１に位置するときには、第２開放位置Ｘ２には、第１供給カップ１４７が位置する。第１開放位置Ｘ１に位置する第２供給カップ１４８の第２係合部１６４は第３規制杆１６９に規制されて第２供給カップ１４８の蓋１６２は開かない。このとき、第１開放位置Ｘ１の下方の第１植付具１３７ＡＬは、下方移動して畝に苗を植え付けている。第２開放位置Ｘ２に位置する第１供給カップ１４７の第１係合部１６３は第４規制杆１７０に規制されて第１供給カップ１４８の蓋１５８は開かない。このとき、第２開放位置Ｘ２の下方の第２植付具１３７ＡＲは、下方移動して畝に苗を植え付けている。
【０１１８】
次に、第２移植ユニット５１Ｂの苗供給装置である第２苗供給装置７２Ｂについて説明する。
第２苗供給装置７２Ｂは、第２植付装置６８Ｂの上方に配置されている。第２苗供給装置７２Ｂによって、下方に位置する植付具１３７（第２植付装置６８Ｂ）に苗を落下させて供給する。第２苗供給装置７２Ｂは、第１苗供給装置７２Ａと同様に、第２フレーム材８３、第３フレーム材８３、第８フレーム材８８及び第１横部材９７の上方に、フレームを介して支持されている。
【０１１９】
第２苗供給装置７２Ｂの構成は、第１苗供給装置７２Ａの構成と同様であるので、説明を省略する。
第１苗供給装置７２Ａ及び第２苗供給装置７２Ｂにおける第１供給カップ１４７及び第２供給カップ１４８に対する苗の供給は、第１前方椅子２３１Ｒ、第２前方椅子２３１Ｌ、第１側方椅子４２Ｒ、第２側方椅子４２Ｌにそれぞれ着座した作業者Ｈ（図７参照）により行われる。
【０１２０】
第１前方椅子２３１Ｒは、第１苗供給装置７２Ａ（の第１回転体１５０）の前方に位置している。第２前方椅子２３１Ｌは、第２苗供給装置７２Ｂ（の第１回転体１５０）の前方に位置している。第１側方椅子４２Ｒは、第１苗供給装置７２Ａ（の索体１５２）の幅方向Ｋ２一方側（幅方向外方）に位置している。第２側方椅子４２Ｌは、第２苗供給装置７２Ｂ（の索体１５２）の幅方向Ｋ２他方側（幅方向外方）に位置している。これにより、第１前方椅子２３１Ｒ及び第１側方椅子４２Ｒに着座した作業者によって、第１苗供給装置７２Ａに苗を供給することができる。また、第２前方椅子２３１Ｌ及び第２側方椅子４２Ｌに着座した作業者によって、第２苗供給装置７２Ｂに苗を供給することができる。そのため、第１苗供給装置７２Ａ及び第２苗供給装置７２Ｂに対する苗の供給を、それぞれ複数人で行うことが可能となり、苗の供給作業を効率良く行うことができる。
【０１２１】
図３、図７に示すように、第１苗供給装置７２Ａの上方には、供給カップ１４７，１４８に供給される多数の苗を有する苗トレイを置くための前方苗載せ台２７８Ａ及び側方苗載せ台２７９Ａが設けられている。前方苗載せ台２７８Ａ及び側方苗載せ台２７９Ａは、第１苗供給装置７２Ａのフレームに取り付けられている。前方苗載せ台２７８Ａは、第１苗供給装置７２Ａの前部上方に設けられており、前後方向Ｋ１に比べて幅方向Ｋ２が長く形成されている。前方苗載せ台２７８Ａは、後方から前方に向かうにつれて低くなるように傾斜している。側方苗載せ台２７９Ａは、第１苗供給装置７２Ａの後部上方に設けられており、幅方向Ｋ２に比べて前後方向Ｋ１が長く形成されている。側方苗載せ台２７９Ａは、幅方向内方から幅方向外方に向かうにつれて低くなるように傾斜している。
【０１２２】
図１、図３、図７に示すように、第２苗供給装置７２Ｂの上方にも、前方苗載せ台２７８Ｂ及び側方苗載せ台２７９Ｂが設けられている。前方苗載せ台２７８Ｂ及び側方苗載せ台２７９Ｂの構成は、前方苗載せ台２７８Ａ及び側方苗載せ台２７９Ａと同様であるため、説明を省略する。
図１、図７、図８に示すように、対地作業機２の幅方向Ｋ２一方側（右方）には、苗置き部２８０Ｒが設けられている。対地作業機２の幅方向Ｋ２他方側（左方）には、苗置き部２８０Ｌが設けられている。苗置き部２８０Ｌ，２８０Ｒは、基板２８１と、支柱２８２と、支持台２８３と、支軸２８４とを有している。
【０１２３】
苗置き部２８０Ｌの基板２８１は、第１取付フレーム４８Ｌの第１部材５２の後端に固定されており、第１部材５２から幅方向外方（左方）に突出している。苗置き部２８０Ｒの基板２８１は、第２取付フレーム４８Ｒの第４部材５４の後端に固定されており、第４部材５２から幅方向外方（右方）に突出している。支柱２８２は、下端が基板２８１に固定されており、上方に延びている。支持台２８３は、複数（本実施形態では４つ）設けられている。複数の支持台２８３は、上下方向に間隔をあけて支柱２８２に取り付けられている。支持台２８３は、支軸２８４を介して支柱２８２に取り付けられており、支軸２８４を支点（中心）として上方且つ幅方向内方（図Ｂの矢印Ｂ方向）に回動可能である。
【０１２４】
苗置き部２８０Ｌ，２８０Ｒの支持台２８３には、供給カップ１４７，１４８に供給される多数の苗を有する苗トレイが載置される。左側の苗置き部２８０Ｌに載置される苗トレイは、第２苗供給装置７２Ｂの苗載せ台２７８Ｂ，２７９Ｂに載置された苗トレイの苗が無くなった場合に、この苗が無くなった空の苗トレイと交換される。右側の苗置き部２８０Ｒに載置される苗トレイは、第１苗供給装置７２Ａの苗載せ台２７８Ａ，２７９Ａに載置された苗トレイの苗が無くなった場合に、この苗が無くなった空の苗トレイと交換される。
【０１２５】
第１前方椅子２３１Ｒは、苗置き部２８Ｒの幅方向Ｋ２他方側（左方）に配置されている。第２前方椅子２３１Ｌは、苗置き部２８Ｌの幅方向Ｋ２一方側（右方）に配置されている。これにより、第１前方椅子２３１Ｒに着座した作業者は、苗置き部２８Ｒに載置された苗トレイを取り出す作業を容易に行うことができる。また、第２前方椅子２３１Ｌに着座した作業者は、苗置き部２８Ｌに載置された苗トレイを取り出す作業を容易に行うことができる。
【０１２６】
次に、覆土輪７４Ａ，７４Ｂについて説明する。
先に、第１移植ユニット５１Ａの覆土輪７４Ａについて説明する。図２、図３に示すように、覆土輪７４Ａは、左の覆土輪７４ＡＬと右の覆土輪７４ＡＲとを含む。
左の覆土輪７４ＡＬは、第１移植ユニット５１Ａにおいて、左の植付機構６８ＡＬの後方に２つ設けられている。詳しくは、２つの植付機構６８ＡＬは、図２０に示す第１１フレーム９１の一方側（右側）と他方側（左側）にそれぞれ設けられている。右の覆土輪７４ＡＲは、第１移植ユニット５１Ａにおいて、右の植付機構６８ＡＲの後方に２つ設けられている。詳しくは、２つの植付機構６８ＡＲは、第９フレーム８９の一方側（右側）と他方側（左側）にそれぞれ設けられている。覆土輪７４ＡＬ，７４ＡＲは、畝の上面を回転し、第１植付装置６８Ａで植え付けた苗の根本部分に土寄せして覆土すると共に、苗の根本部分を鎮圧する。
【０１２７】
図２１に示すように、覆土輪７４ＡＬは、移植フレーム６９Ａのフレーム支持部７３ＡＬに取り付けられている。詳しくは、覆土輪７４ＡＬは、覆土フレーム４００ＡＬを介してフレーム支持部７３ＡＬに取り付けられている。覆土輪７４ＡＲは、移植フレーム６９Ａのフレーム支持部７３ＡＲに取り付けられている。詳しくは、覆土輪７４ＡＲは、覆土フレーム４００ＡＲを介してフレーム支持部７３ＡＲに取り付けられている。図１、図２に示すように、覆土輪７４ＡＬと覆土輪７４ＡＲとは、前後方向Ｋ１において異なる位置に配置されている。本実施形態では、覆土輪７４ＡＲが覆土輪７４ＡＬよりも後方に配置されている。
【０１２８】
次に、第２移植ユニット５１Ｂの覆土輪７４Ｂについて説明する。覆土輪７４Ｂは、左の覆土輪７４ＢＬと右の覆土輪７４ＢＲとを含む。
左の覆土輪７４ＢＬは、第２移植ユニット５１Ｂにおいて、左の植付機構６８ＢＬの後方に２つ設けられている。右の覆土輪７４ＢＲは、第２移植ユニット５１Ｂにおいて、右の植付機構６８ＢＬの後方に２つ設けられている。覆土輪７４ＢＬ，７４ＢＲは、畝の上面を回転し、第２植え付け装置６８Ｂで植え付けた苗の根本部分に土寄せして覆土すると共に、苗の根本部分を鎮圧する。
【０１２９】
覆土輪７４ＢＬは、移植フレーム６９Ｂのフレーム支持部７３ＢＬに取り付けられている。詳しくは、覆土輪７４ＢＬは、覆土フレーム４００ＢＬを介してフレーム支持部７３ＢＬに取り付けられている。覆土輪７４ＢＲは、移植フレーム６９Ｂのフレーム支持部７３ＢＲに取り付けられている。詳しくは、覆土輪７４ＢＲは、覆土フレーム４００ＢＲを介してフレーム支持部７３ＢＲに取り付けられている。覆土輪７４ＢＬと７４ＢＲとは、前後方向Ｋ１において異なる位置に配置されている。本実施形態では、覆土輪７４ＢＲが覆土輪７４ＢＬよりも後方に配置されている。覆土輪７４ＢＬ，７４ＢＲの支持構造は、覆土輪７４ＡＬ，７４ＡＲの支持構造と同様である。
【０１３０】
本実施形態の作業機４は、畝にマルチフィルムを敷設するマルチフィルム敷設装置３００を備えている。マルチフィルム敷設装置３００は、支持枠２６と、フィルムロール３０１と、溝切り部材３０２と、フィルム押え器（フィルム押さえ部）３０３と、覆土部材３０４と、を有する。
支持枠２６は、上述した構成を有しており、走行体（トラクタ）１に装着されている。フィルムロール３０１は、支持枠２６に設けられており、支持枠２６の幅方向Ｋ２の軸心回りにマルチフィルムが巻回されている。溝切り部材３０２は、フィルムロール３０２から巻き出されて圃場の畝に敷設されるマルチフィルムの幅方向端部（支持枠２６の幅方向Ｋ２の端部）を埋め込むための埋込溝を圃場に形成する。フィルム押え器３０３は、敷設されたマルチフィルムの幅方向Ｋ２の両端部を押さえる。覆土部材３０４は、フィルム押え器３０３により押さえられたマルチフィルムの側縁部に土を掛けて当該側縁部を土で覆う。
【０１３１】
上記実施形態の作業機４は、走行体１の後部に装着され且つ圃場に対して作業を行う対地作業機２と、対地作業機２の後方に設けられた移植フレーム６９Ａ，６９Ｂと、圃場に苗を植え付ける植付装置６８Ａ，６８Ｂとを備え、植付装置６８Ａ，６８Ｂは、移植フレーム６９Ａ，６９Ｂに取り付けられた第１植付機構６８ＡＬ，６８ＢＬと、第１植付機構６８ＡＬ，６８ＢＬに並列し且つ当該第１植付機構と前後方向において異なる位置において移植フレーム６９Ａ，６９Ｂに取り付けられた第２植付機構６８ＡＲ，６８ＢＲとを有する。これにより、１台の作業機４で走行しながら、対地作業（耕耘等）と共に条間距離を狭くした苗の植え付けを行うことができる。また、第１植付機構６８ＡＬ，６８ＢＬ及び第２植付機構６８ＡＲ，６８ＢＲを移植フレーム６９Ａ，６９Ｂを介して対地作業機２の後方に容易に取り付けることができる。
【０１３２】
また、作業機４は、対地作業機２から後方に延びる取付フレーム４８Ｌ，４８Ｒと、取付フレーム４８Ｌ，４８Ｒに取り付けられたツールバー４９と、を備え、移植フレーム６９Ａ，６９Ｂはツールバー４９に取り付けられている。これにより、第１植付機構６８ＡＬ，６８ＢＬと第２植付機構６８ＢＬ，６８ＢＲとが取り付けられた移植フレーム６９Ａ，６９Ｂを、ツールバー４９を介して取付フレーム４８Ｌ，４８Ｒに容易に取り付けることができる。
【０１３３】
また、作業機４は、苗を収容する収容部１６０と、収容部１６０の下部に設けられた蓋１５８とを有する多数の供給カップ１４７，１４８と、多数の供給カップ１４７，１４８を移植フレーム６９Ａ，６９Ｂの幅方向一方側と幅方向他方側とを通過するループ状の経路Ｐに沿って移送する移送機構１４９と、蓋１６２に接当可能で且つ蓋１６２の開放位置を、幅方向一方側（左側）の第１開放位置Ｘ１と、幅方向他方側（右側）であって且つ第１開放位置Ｘ１と前後方向において異なる第２開放位置Ｘ２とに設定可能な設定部材１６６と、を備え、第１植付機構６８ＡＬ，６８ＢＬは、圃場に突入して苗を植え付け可能で、第１開放位置Ｘ１の下方に設けられた第１植付具１３７ＡＬ，１３７ＢＬを有し、第２植付機構６８ＡＲ，６８ＢＲは、圃場に突入して苗を植え付け可能で、第２開放位置Ｘ２の下方に設けられた第２植付具１３７ＡＲ，１３７ＢＲを有する。これにより、２条植えに対応するには苗供給装置は１台でよく、４条植えに対応するには苗供給装置は２台並設すればよい。そのため、移植フレームの幅方向にコンパクトな複数条植え対応の作業機を提供することができる。
【０１３４】
また、作業機４は、第１植付具１３７ＡＬ，１３７ＢＬを昇降させる第１昇降装置１３９ＡＬと、第２植付具１３７ＡＲ，１３７ＢＲを昇降させる第２昇降装置１３９ＡＲと、を備え、第１昇降装置１３９ＡＬによる第１植付具１３７ＡＬ，１３７ＢＬの昇降と、第２昇降装置１３９ＡＲによる第２植付具１３７ＡＲ，１３７ＢＲの昇降とは同時に行われる。これにより、第１植付機構６８ＡＬ，６８ＢＬと第２植付機構６８ＡＲ，６８ＢＲとが前後方向にずれていることと相まって、条間距離を狭くした千鳥植えを実現することができる。
【０１３５】
また、第１植付具１３７ＡＬ，１３７ＢＬの昇降動作を停止したときの停止位置は、第１植付具１３７ＡＬ，１３７ＢＬの上死点位置であり、第２植付具１３７ＡＲ，１３７ＢＲの昇降動作を停止したときの停止位置は、第２植付具１３７ＡＲ，１３７ＢＲの上死点位置である。これにより、株間制御を行うために植付具を停止させた場合に、植え付けた苗の茎に植付具が当たって苗が倒れることを防止できる。
【０１３６】
また、作業機４は、対地作業機２に対する移植フレーム６９Ａ，６９Ｂの高さを変更可能な第１高さ変更装置５０と、対地作業機２の高さを、第１高さ変更装置５０による移植フレーム６９Ａ，６９Ｂの高さの変更とは独立して変更可能な第２高さ変更装置２８と、を備える。これにより、対地作業機２の高さの変更操作と、対地作業機２に対する移植フレーム６９Ａ，６９Ｂの高さの変更操作とを、互いに独立して行うことができる。そのため、第１高さ変更装置５０による苗の植え付け深さの変更を、第２高さ変更装置２８による対地作業機２の高さの変更とは独立して行うことができるため、苗の植え付け深さの変更が容易である。
【０１３７】
また、対地作業機２がロータリ耕耘機であることにより、１台の作業機で耕耘しながら移植作業を行うことができる。
上記実施形態の移植機３は、圃場に対して作業を行う対地作業機２の後方に設けられる移植フレーム６９Ａ，６９Ｂと、圃場に苗を植え付ける植付装置６８Ａ，６８Ｂと、を備え、植付装置６８Ａ，６８Ｂは、移植フレーム６９Ａ，６９Ｂに取り付けられた第１植付機構６８ＡＬ，６８ＢＬと、第１植付機構６８ＡＬ，６８ＢＬに並列し且つ当該第１植付機構と前後方向において異なる位置において移植フレーム６９Ａ，６９Ｂに取り付けられた第２植付機構６８ＡＲ，６８ＢＲと、を有する。これにより、対地作業機２と共に使用して、対地作業（耕耘等）及び条間距離を狭くした苗の植え付けを行うことができる。また、第１植付機構６８ＡＬ，６８ＢＬ及び第２植付機構６８ＡＲ，６８ＢＲを移植フレーム６９Ａ，６９Ｂを介して対地作業機２の後方に容易に取り付けることができる。
【０１３８】
また、移植機３は、対地作業機２から後方に延びる取付フレーム４８Ｌ，４８Ｒと、取付フレーム４８Ｌ，４８Ｒに取り付けられたツールバー４９と、を備え、移植フレーム６９Ａ，６９Ｂはツールバー４９に取り付けられている。これにより、第１植付機構６８ＡＬ，６８ＢＬと第２植付機構６８ＢＬ，６８ＢＲとが取り付けられた移植フレーム６９Ａ，６９Ｂを、ツールバー４９を介して取付フレーム４８Ｌ，４８Ｒに容易に取り付けることができる。
【０１３９】
また、上記実施形態の作業機４は、走行体１の後部に装着され且つ圃場に対して作業を行う対地作業機２と、対地作業機２の後方に配置され、且つ苗を収容する多数の供給カップ１４７，１４８を前後に長いループ状の経路Ｐに沿って移送する移送機構１４９を有する苗供給装置７２Ａ，７２Ｂと、苗供給装置７２Ａ，７２Ｂの下方に設けられ且つ当該苗供給装置から供給された苗を圃場に植え付ける植付装置６８Ａ，６８Ｂと、対地作業機２の上方且つ苗供給装置７２Ａ，７２Ｂの前方に設けられて作業者が座る前方椅子２３１Ｌ，２３１Ｒと、を備えている。これにより、作業者は対地作業機２の上方の前方椅子２３１Ｌ，２３１Ｒに着座して、苗供給装置７２Ａ，７２Ｂの前方から当該苗供給装置への苗の供給を行うことができる。これにより、２条植えに対応するために苗供給装置を走行体１の幅方向に２台並設した場合でも、作業機４が幅方向に大型化することがない。また、前方椅子２３１Ｌ，２３１Ｒは対地作業機２の上方に設けられているため、作業機４が前後方向に大型化することも防がれる。従って、コンパクトな構成にて苗供給装置７２Ａ，７２Ｂへの苗の供給作業を効率よく行うことができる。
【０１４０】
また、作業機４は、苗供給装置７２Ａ，７２Ｂの走行体１の幅方向一方側に設けられて作業者が座る側方椅子４２Ｌ，４２Ｒを備えていることにより、前方椅子２３１Ｌ，２３１Ｒに着座した作業者及び側方椅子４２Ｌ，４２Ｒに着座した作業者によって苗供給装置７２Ａ，７２Ｂに苗を供給することができる。これにより、苗供給装置７２Ａ，７２Ｂに対する苗の供給を複数人で行うことが可能となり、苗の供給作業を効率良く行うことができる。
【０１４１】
また、苗供給装置７２Ａ，７２Ｂは、対地作業機２の後方に配置され且つ回転自在に支持された第１回転体１５０と、第１回転体１５０の後方に配置され且つ回転自在に支持された第２回転体１５１と、第１回転体１５０と第２回転体１５１とに掛け渡されたループ状の索体１５２と、を有し、前方椅子２３１Ｌ，２３１Ｒは、第１回転体１５０の前方に設けられている。これにより、苗供給装置７２Ａ，７２Ｂの駆動を妨げることなく、前方椅子２３１Ｌ，２３１Ｒを苗供給装置７２Ａ，７２Ｂの前方に設けることができる。
【０１４２】
また、苗供給装置は、前記幅方向の一方側に配置された第１苗供給装置７２Ａと、前記幅方向の他方側に配置された第２苗供給装置７２Ｂと、を有し、前方椅子は、前記第１苗供給装置７２Ａの前方に設けられた第１前方椅子２３１Ｒと、第２苗供給装置７２Ｂの前方に設けられた第２前方椅子２３１Ｌと、を有する。これにより、第１前方椅子２３１Ｒに着座した作業者により、第１苗供給装置７２Ａに対して苗を供給することができる。また、第２前方椅子２３１Ｌに着座した作業者により、第２苗供給装置７２Ｂに対して苗を供給することができる。そのため、作業機を幅方向に大型化させることなく２条植えに対応することが可能となる。
【０１４３】
また、側方椅子は、第１苗供給装置７２Ａの前記幅方向一方側に設けられた第１側方椅子４２Ｒと、第２苗供給装置７２Ｂの前記幅方向他方側に設けられた第２側方椅子４２Ｌと、を有する。これにより、第１側方椅子４２Ｒに着座した作業者により、第１苗供給装置７２Ａに対して苗を供給することができる。また、第２前方椅子４２Ｌに着座した作業者により、第２苗供給装置７２Ｂに対して苗を供給することができる。そのため、２条植えに対応した作業機において、苗を効率良く苗供給装置に供給することが可能となる。
【０１４４】
また、作業機４は、側方椅子４２Ｌ，４２Ｒの姿勢を変更する姿勢変更機構２１４を備え、姿勢変更機構２１４は、側方椅子４２Ｌ，４２Ｒの姿勢を、当該側方椅子の座面が略水平となる第１姿勢と、当該第１姿勢に対して前方に傾いた第２姿勢とに変更可能である。これにより、側方椅子４２Ｌ，４２Ｒを使用するときには第１姿勢とし、側方椅子４２Ｌ，４２Ｒを使用しないときには第２姿勢とすることができる。そのため、側方椅子４２Ｌ，４２Ｒを使用しないときには、作業機４を幅方向にコンパクトにすることができる。
【０１４５】
また、姿勢変更機構２１４は、側方椅子４２Ｌ，４２Ｒの第１姿勢から第２姿勢への変更操作を補助する付勢機構２１５と、側方椅子４２Ｌ，４２Ｒの姿勢を第２姿勢において保持する保持機構２１６と、を備えている。そのため、作業者が側方椅子４２Ｌ，４２Ｒを第１姿勢から第２姿勢へと変更するときに、必要な力が付勢機構２１５により補助され、変更操作を容易に行うことができる。また、保持機構２１６により、側方椅子４２Ｌ，４２Ｒを確実に第２姿勢に保持することができる。
【０１４６】
また、作業機４は、側方椅子４２Ｌ，４２Ｒの前記幅方向の位置を調整可能な位置調整機構を備えることにより、側方椅子４２Ｌ，４２Ｒと苗供給装置７２Ａ，７２Ｂとの距離を、作業者の体格等に合わせて調整することができる。
また、作業機４は、対地作業機２の前記幅方向一方側に、供給カップ１４７，１４８に供給される苗を置くための苗置き部２８０Ｌ，２８０Ｒを備え、前方椅子２３１Ｌ，２３１Ｒは、苗置き部２８０Ｌ，２８０Ｒの前記幅方向他方側に配置されている。これにより、前方椅子２３１Ｌ，２３１Ｒに着座した作業者は、苗置き部２８Ｌ，２８Ｒに載置された苗を取り出して苗供給装置７２Ａ，７２Ｂに供給する作業を、容易に効率良く行うことができる。
【０１４７】
また、作業機４は、対地作業機２の上方に、苗の植え付けに関する設定操作を行う操作部２３３を備え、前方椅子２３１Ｌ，２３１Ｒは、苗置き部２８０Ｌ，２８０Ｒと操作部２３３との間に配置されている。これにより、前方椅子２３１Ｌ，２３１Ｒに着座した作業者は、着座した状態で幅方向内方且つ前方に手を伸ばすことで、操作部２３３による操作を行うことができるため、非常に作業性が良い。
【０１４８】
また、対地作業機１がロータリ耕耘機であることにより、１台の作業機で耕耘しながら苗の植え付け作業を行うことができる。
上記実施形態の移植機３は、圃場に対して作業を行う対地作業機２の後方に配置され、且つ苗を収容する多数の供給カップ１４７，１４８を前後に長いループ状の経路Ｐに沿って移送する移送機構１４９を有する苗供給装置７２Ａ，７２Ｂと、苗供給装置７２Ａ，７２Ｂの下方に設けられ且つ当該苗供給装置から供給された苗を圃場に植え付ける植付装置６８Ａ，６８Ｂと、対地作業機２の上方且つ苗供給装置６８Ａ，６８Ｂの前方に設けられて作業者が座る前方椅子２３１Ｌ，２３１Ｒと、を備えている。これにより、対地作業機２と共に使用することで、作業者は対地作業機２の上方の前方椅子２３１Ｌ，２３１Ｒに着座して、苗供給装置７２Ａ，７２Ｂの前方から当該苗供給装置への苗の供給を行うことができる。これにより、２条植えに対応するために苗供給装置を走行体１の幅方向に２台並設した場合でも、移植機３が幅方向に大型化することがない。また、前方椅子２３１Ｌ，２３１Ｒは対地作業機２の上方に設けられているため、移植機３が前後方向に大型化することも防がれる。従って、コンパクトな構成にて苗供給装置７２Ａ，７２Ｂへの苗の供給作業を効率よく行うことができる。
【０１４９】
また、移植機３は、苗供給装置７２Ａ，７２Ｂの前記走行体の幅方向一方側に設けられて作業者が座る側方椅子４２Ｌ，４２Ｒを備えていることにより、前方椅子２３１Ｌ，２３１Ｒに着座した作業者及び側方椅子４２Ｌ，４２Ｒに着座した作業者によって苗供給装置７２Ａ，７２Ｂに苗を供給することができる。これにより、苗供給装置７２Ａ，７２Ｂに対する苗の供給を複数人で行うことが可能となり、苗の供給作業を効率良く行うことができる。
【０１５０】
次に、上記のマルチフィルム敷設装置３００について詳細に説明する。
図２、図２８Ａに示すように、溝切り部材３０２、フィルム押え器３０３（フィルム押え部）及び覆土部材３０４は、支持枠２６（後枠３０）の左側及び右側に設けられている。フィルムロール３０１は、後枠３０の幅方向Ｋ２一側から他側にわたって設けられている。左の溝切り部材３０２Ｌは、左のゲージ輪２７Ｌ及び左のフィルム押え器３０３Ｌの前方に位置している。左の覆土部材３０４Ｌは、ゲージ輪２７Ｌ及びフィルム押え器３０３Ｌの後方に位置している。右の溝切り部材３０２Ｒは、右のゲージ輪２７Ｒ及び右のフィルム押え器３０３Ｒの前方に位置している。また、フィルム押え器３０３Ｌは、ゲージ輪２７Ｌの幅方向内方Ｋ４（右側方）に位置している。フィルム押え器３０３Ｒは、ゲージ輪２７Ｒの幅方向内方Ｋ４（左側方）に位置している。右の覆土部材３０４Ｒは、ゲージ輪２７Ｒ及びフィルム押え器３０３Ｒの後方に位置している。
【０１５１】
図３７Ｂに示すように、ゲージ輪２７（支持輪）は、幅方向Ｋ２で隣接する畝Ｒ１間を転動し且つマルチフィルムＦ１の幅方向Ｋ２の端部を押さえ可能である。即ち、マルチフィルム敷設装置３００は、フィルム押さえ部３０３の幅方向外方Ｋ３に配置されていてマルチフィルムＦ１の幅方向Ｋ２の端部を押さえ可能な支持輪２７を備えている。
図２８Ａに示すように、マルチフィルム敷設装置３００は、溝切り部材３０２Ｌを、上下位置調整可能で且つ幅方向Ｋ２に位置調整可能に支持する左の第１支持体３０６Ｌを有する。また、マルチフィルム敷設装置３００は、溝切り部材３０２Ｒを、上下位置調整可能で且つ幅方向Ｋ２に位置調整可能に支持する右の第１支持体３０６Ｒを有する。第１支持体３０６Ｌ，３０６Ｒは、支持枠２６（後枠３０の前部）に設けられている。また、マルチフィルム敷設装置３００は、フィルム押え器３０３Ｌを上下位置調整可能で且つ幅方向Ｋ２に位置調整可能に支持する左の第２支持体３４６Ｌを有する。また、マルチフィルム敷設装置３００は、フィルム押え器３０３Ｒを上下位置調整可能で且つ幅方向Ｋ２に位置調整可能に支持する左の第２支持体３４６Ｒを有する。第２支持体３４６Ｌ,３４６Ｒは、支持枠２６（後枠３０の後部）に設けられている。
【０１５２】
第１支持体３０６Ｌと第１支持体３０６Ｒは、同様の構造であり、左右対称である。また、第２支持体３４６Ｌと第２支持体３４６Ｒとは、同様の構造であり、左右対称である。以下の説明では、左の第１支持体３０６Ｌ及び左の第２支持体３４６Ｌを詳細に説明し、右の第１支持体３０６Ｒ及び右の第２支持体３４６Ｒの詳細説明は省略する。
図２８Ｂ〜図３０に示すように、第１支持体３０６Ｌは、溝切り部材３０２が設けられた第１部材３０７と、第１部材３０７を上下位置調整可能に支持する第２部材３０８と、第２部材３０８を幅方向Ｋ２に位置調整可能に支持する第３部材３０９とを有する。
【０１５３】
図３１に示すように、第１部材３０７は、縦枠材３５Ｌの前方側で且つ幅方向内方Ｋ４に位置している。第１部材３０７は、断面四角形の棒材によって構成されている。図３３に示すように、第１部材３０７は、縦向き（上下の方向）に配置されている。第１部材３０７の下端には、溝切り支軸３１０が固定されている。溝切り支軸３１０は、第１部材３０７の下端から、幅方向内方Ｋ４に行くに従って後方に移行する傾斜方向に延びている。
【０１５４】
図３１に示すように、溝切り支軸３１０には、回転部材３１１が軸心回りに回転自在に設けられている。この回転部材３１１の幅方向内方Ｋ４側に、溝切り部材３０２が一体回転自在に固定されている。溝切り部材３０２は、円板状に形成されている。これにより、畝Ｒ１を形成する土塊が荒くても正確な溝切りが可能である。溝切り部材３０２は、後方に行くに従って幅方向外方Ｋ３に移行する傾斜状に設けられている。トラクタ１（移動可能な走行体）を前進させることにより、溝切り部材３０２によって、埋込溝３２１が圃場Ｈ１（隣接する畝Ｒ１の間又は畝Ｒ１）に移植機３の作業方向に（畝Ｒ１の長手方向に）連続して形成される（図３７Ａ参照）。
【０１５５】
図３１、図３３に示すように、第２部材３０８は、第１部材３０７が縦方向（長手方向）に移動可能に挿通する筒体（第１筒体）３１３と、この第１筒体３１３に対して第１部材３０７を固定する固定具（第１固定具）３１４とを有する。第１筒体３１３は、上下が開放した筒体であって、第１壁部３１３ａと、第２壁部３１３ｂと、第３壁部３１３ｃと、第４壁部３１３ｄとを有する。第１壁部３１３ａと第２壁３１３ｂとは、幅方向Ｋ２で間隔をおいて並べて設けられている。第１壁部３１３ａと第２壁部の前端同士は、第３壁部３１３ｃによって連結されている。本実施形態では、第１壁部３１３ａ、第２壁部３１３ｂ及び第３壁部３１３ｃは、一枚の板材を折曲して後方に開放するチャンネル形状に形成されている。第４壁部３１３ｄは、第１壁部３１３ａと第２壁部３１３ｂの後端同士を連結している。第４壁部３１３ｄは、前後に厚い厚板によって形成され、厚さ方向に貫通するネジ穴（第１ネジ穴）３１５を有する。ネジ穴は、雌ネジが切られた穴である。第１固定具３１４は、例えば、ボルトによって構成され、第１ネジ穴３１５に螺合されている。第１部材３０７は、第１壁部３１３ａと第２壁部３１３ｂの間で且つ第３壁部３１３ｃと第４壁部３１３ｄとの間に挿通されている。第１固定具３１４を第１ネジ穴３１５に対して螺進させる（締め付ける）ことにより、第１部材３０７が第３壁部３１３ｃに押し付けられて、第２部材３０８に第１部材３０７が固定される。また、第１固定具３１４を第１ネジ穴３１５に対して螺退させる（弛緩させる）ことにより、第２部材３０８に対して第１部材３０７が上下に移動可能となる。この第１固定具３１４の締め付け及び弛緩により、第１部材３０７が第２部材３０８に対して上下位置調整可能とされる。
【０１５６】
図３１、図３３に示すように、第３部材３０９は、第２部材３０８の前側に配置されている。この第３部材３０９は、可動部材（第１可動部材）３１６と、幅方向Ｋ２に長い棒材によって形成された横杆部（第１横杆部）３１７とを有する。第１可動部材３１６に第２部材３０８が固定されている。第１横杆部３１７は、第１可動部材３１６を幅方向Ｋ２（長手方向）に移動可能に支持する。
【０１５７】
図３１、図３３に示すように、第１可動部材３１６は、第１横杆部３１７が挿通された筒体（第２筒体）３１８と、第１横杆部３１７に対して第２筒体３１８を固定する固定具（第２固定具）３１９とを有する。第２筒体３１８は、幅方向Ｋ２の両側が開放した筒体であって、第１壁部３１８ａと、第２壁部３１８ｂと、第３壁部３１８ｃと、第４壁部３１８ｄとを有する。第１壁部３１８ａの下方に第２壁部３１８ｂが間隔をおいて設けられている。第１壁部３１８ａと第２壁部３１８ｂの後端同士は、第３壁部３１８ｃによって連結されている。本実施形態では、第１壁部３１８ａ、第２壁部３１８ｂ及び第３壁部３１８ｃは、一枚の板材を折曲して前方に開放するチャンネル形状に形成されている。この第２筒体３１８の第３壁部３１８ｃに、第１筒体３１３の第３壁部３１３ｃが固定されている。第４壁部３１８ｄは、第１壁部３１８ａと第２壁部３１８ｂの前端同士を連結している。第４壁部３１８ｄは、前後に厚い厚板によって形成され、厚さ方向に貫通するネジ穴（第２ネジ穴）３２０を有する。第２固定具３１９は、例えば、ボルトによって構成され、第２ネジ穴３２０に螺合されている。第１横杆部３１７は、第１壁部３１８ａと第２壁部３１８ｂの間で且つ第３壁部３１８ｃと第４壁部３１８ｄとの間に挿通されている。第２固定具３１９を第２ネジ穴３２０に対して螺進させる（締め付ける）ことにより、第１横杆部３１７が第３壁部３１８ｃに押し付けられて、第１横杆部３１７に第１可動部材３１６が固定される。また、第２固定具３１９を第２ネジ穴３２０に対して螺退させる（弛緩させる）ことにより、第１横杆部３１７に対して第１可動部材３１６が幅方向Ｋ２に移動可能となる。この第２固定具３１９の締め付け及び弛緩により、第１可動部材３１６及び第２部材３０８が第１横杆部３１７に対して幅方向Ｋ２に位置調整可能とされる。
【０１５８】
以上のように、第２部材３０８に対して第１部材３０７を上下に位置調整することにより、溝切り部材３０２が上下に位置調整される。且つ、第１可動部材３１６を第１横杆部３１７に対して幅方向Ｋ２に位置調整することにより、第２部材３０８及び溝切り部材３０２が幅方向Ｋ２に位置調整される。
図３７Ａに示すように、溝切り部材３０２を上下及び幅方向Ｋ２に位置調整することにより、溝切り部材３０２を、第１溝切り位置Ｐ１と、第２溝切り位置Ｐ２と、第３溝切り位置Ｐ３とに位置調整可能である。第１溝切り位置Ｐ１は、畝Ｒ１の上面Ｒ２と側面Ｒ３とのコーナー部Ｒ４に埋込溝３２１（３２１Ａ）を形成する位置である。第２溝切り位置Ｐ２は、コーナー部Ｒ４と側面Ｒ３の下端との間に埋込溝３２１（３２１Ｂ）を形成する位置である。第３溝切り位置Ｐ３は、幅方向Ｋ２で隣接する畝Ｒ１間（畝Ｒ１間溝の底部Ｒ５）に埋込溝３２１（３２１Ｃ）を形成する位置である。マルチフィルムは、フィルム幅の寸法が異なる場合がある。本実施形態では、マルチフィルムの幅に対応して、溝切り部材３０２の溝切り位置が調整可能とされている。
【０１５９】
図３０に示すように、第１横杆部３１７の幅方向Ｋ２外端部には、第１横杆部３１７から上方に延びる縦杆部３２２が設けられている。縦杆部３２２の上端には、取付部３２３が設けられている。言い換えると、第１支持体３０６Ｌは、縦杆部３２２及び取付部３２３を有する。
図３１に示すように、取付部３２３は、縦杆部３２２の上端から後方に延びる第１杆部３２３ａと、第１杆部３２３ａの後端から幅方向内方Ｋ４に延びる第２杆部３２３ｂとを有する。第２杆部３２３ｂは、縦枠材３５Ｌの前側上部に設けられた支持部（第１支持部）３２４に支持される。第２杆部３２３ｂが第１支持部３２４に支持されることによって、第１支持体３０６Ｌが後枠３０に取り付けられる。
【０１６０】
図３１、図３３に示すように、第１支持部３２４は、縦枠材３５Ｌに固定された筒体(第３筒体)３２５と、第３筒体３２５に第２杆部３２３ｂ（取付部３２３）を固定する固定具（第３固定具）３２６とを有する。第３筒体３２５は、幅方向Ｋ２の両側が開放した筒体であって、第１壁部３２５ａと、第２壁部３２５ｂと、第３壁部３２５ｃと、第４壁部３２５ｄとを有する。第１壁部３２５ａの下方に第２壁部３２５ｂが間隔をおいて設けられている。第１壁部３２５ａと第２壁部３２５ｂの後端同士は、第３壁部３２５ｃによって連結されている。本実施形態では、第１壁部３２５ａ、第２壁部３２５ｂ及び第３壁部３２５ｃは、一枚の板材を折曲して前方に開放するチャンネル形状に形成されている。第３壁部３２５ｃは、縦枠材３５Ｌの前面の上部に固定されている。第４壁部３２５ｄは、第１壁部３２５ａと第２壁部３２５ｂの前端同士を連結している。第４壁部３２５ｄは、前後に厚い厚板によって形成され、厚さ方向に貫通するネジ穴（第３ネジ穴）３２７を有する。第３固定具３２６は、例えば、ボルトによって構成され、第３ネジ穴３２７に螺合されている。第２杆部３２３ｂは、第１壁部３２５ａと第２壁部３２５ｂの間で且つ第３壁部３２５ｃと第４壁部３２５ｄとの間に挿通されている。第３固定具３２６を第３ネジ穴３２７に対して螺進させる（締め付ける）ことにより、第２杆部３２３ｂが第３壁部３２５ｃに押し付けられる。これにより、第１支持部３２４に取付部３２３が固定される。
【０１６１】
図２８〜図３０に示すように、マルチフィルム敷設装置３００は、フィルムロール３０１を軸心方向に貫通して支持するロール支軸３２８と、ロール支軸３２８（フィルムロール３０１）を上下位置調整可能に支持するロール支持部３２９とを備えている。フィルムロール３０１（マルチフィルム）は、畝Ｒ１の幅方向Ｋ２にわたる幅に形成される。ロール支軸３２８は、フィルムロール３０１の幅より長い長さに形成される。ロール支持部３２９は、左の第１支持体３０６Ｌと、右の第１支持体とに設けられている。左のロール支持部３２９は、ロール支軸３２８の左側を支持し、右のロール支持部は、ロール支軸３２８の右側を支持する。
【０１６２】
図２８〜図３０に示すように、ロール支持部３２９は、可動部材（第２可動部材）３３０と、幅方向Ｋ２に長い棒状に形成されていて第２可動部材３３０を幅方向Ｋ２に移動可能に支持する横杆部（第２横杆部）３３１と、第２可動部材３３０に固定されたステー部材３３２と、ステー部材３３２に取り付けられた軸支持部材３３３とを有する。
図３１、図３２に示すように、第２可動部材３３０は、第２横杆部３３１が挿通された筒体（第４筒体）３３４と、第２横杆部３３１に対して第４筒体３３４を固定する固定具（第４固定具）３３５とを有する。第４筒体３３４は、幅方向Ｋ２の両側が開放した筒体であって、第１壁部３３４ａと、第２壁部３３４ｂと、第３壁部３３４ｃと、第４壁部３３４ｄとを有する。第１壁部３３４ａの前方に第２壁部３３４ｂが間隔をおいて設けられている。第１壁部３３４ａと第２壁部３３４ｂの上端同士は、第３壁部３３４ｃによって連結されている。本実施形態では、第１壁部３３４ａ、第２壁部３３４ｂ及び第３壁部３３４ｃは、一枚の板材を折曲して前方に開放するチャンネル形状に形成されている。第４壁部３３４ｄは、第１壁部３３４ａと第２壁部３３４ｂの下端同士を連結している。第４壁部３３４ｄは、ナットによって形成されている。第４固定具３３５は、例えば、ボルトによって構成され、第４壁部３３４ｄに螺合されている。第２横杆部３３１は、第１壁部３３４ａと第２壁部３３４ｂの間で且つ第３壁部３３４ｃと第４壁部３３４ｄとの間に挿通されている。第４固定具３３５を第４壁部３３４ｄに対して螺進させる（締め付ける）ことにより、第２横杆部３３１が第３壁部３３４ｃに押し付けられて、第２横杆部３３１に第２可動部材３３０が固定される。また、第４固定具３３５を第４壁部３３４ｄに対して螺退させる（弛緩させる）ことにより、第２横杆部３３１に対して第２可動部材３３０が幅方向Ｋ２に移動可能となる。この第４固定具３３５の締め付け及び弛緩により、第２可動部材３３０が第１横杆部３１７に対して幅方向Ｋ２に位置調整可能とされる。
【０１６３】
図３１、図３２に示すように、ステー部材３３２は、第１壁３３４ａに後方突出状に固定されている。ステー部材３３２は、第１挿通穴３３６と、第１挿通穴３３６の後方に形成された第２挿通穴３３７とを有する。第１挿通穴３３６は、円形穴に形成されている。第２挿通穴３３７は、第１挿通穴３３６の中心を中心とする円弧状に形成されている。また、第２挿通穴３３７は、縦方向（上下）に長い円弧穴である。
【０１６４】
図３１、図３２に示すように、軸支持部材３３３は、前後に長い板材によって形成されている。軸支持部材３３３の前部３３３ａは、ステー部材３３２の幅方向内方Ｋ４側の面に重ね合わされて、第１ボルト３４１Ａ及び第１ナット３４２Ａと第２ボルト３４１Ｂ及び第２ナット３４２Ｂとによって固定されている。軸支持部材３３３の後部３３３ｂは、円形の穴によって構成された軸支穴３３８を有する。軸支穴３３８には、ロール支軸３２８が挿通されて支持される。
【０１６５】
図３２に示すように、軸支持部材３３３の後部３３３ｂには、ナット部材が固定され、このナット部材３４３に固定ボルト３４４が螺合してる。固定ボルト３４４は、螺進させることにより、ロール支軸３２８に向けて移動してロール支軸３２８を固定する。また、固定ボルト３４４は、螺退させることにより、ロール支軸３２８に対して後退する。
図３１に示すように、軸支持部材３３３の前部には、第１挿通穴３３６に対応する第３挿通穴３３９と、第２挿通穴３３７に対応する第４挿通穴３４０とが形成されている。第１ボルト３４１Ａは、第１挿通穴３３６及び第３挿通穴３３９に挿通されている。第１ナット３４２Ａは、第１ボルト３４１Ａに螺合している。第２ボルト３４１Ｂは、第２挿通穴３３７及び第４挿通穴３４０に挿通されている。第２ナット３４２Ａは、第２ボルト３４１Ｂに螺合している。第１ボルト３４１Ａ及び第２ボルト３４１Ｂを緩めることにより、軸支持部材３３３が上下に揺動自在とされる。また、第１ボルト３４１Ａ及び第２ボルト３４１Ｂを締め付けることにより、軸支持部材３３３が上下に揺動した位置で固定される。即ち、軸支持部材３３３は、ロール支軸３２８を上下位置調整可能に支持する。言い換えると、第１支持体３０６Ｌは、ロール支軸３２８を上下位置調整可能に支持する軸支持部材３３３を有する。
【０１６６】
図２８、図２９に示すように、第２支持体３４６Ｌは、第１フレーム体３４７と、第２フレーム体３４８とを有する。第１フレーム体３４７は、後部材３８Ｌの後端に固定された支持部（第２支持部）３４９に、上下に位置調整可能に支持されている。第２フレーム体３４８は、第１フレーム体３４７に支持されている。
図３４、図３５に示すように、第２支持部３４９は、板面が幅方向Ｋ２を向く板材によって形成されている。第２支持部３４９には、枢支ピン３５０と、円弧溝３５１とが設けられている。枢支ピン３５０は、第２支持部３４９を厚さ方向（幅方向Ｋ２）に貫通し、且つ第２支持部３４９から幅方向内方Ｋ４に突出している。円弧溝３５１は、枢支ピン３５０の軸心を中心とする円弧状であって、縦方向（上下）に長く形成されている。
【０１６７】
図３４、図３５に示すように、第１フレーム体３４７は、板面が上下を向く板材によって形成されている。第１フレーム体３４７は、前部の第１部位３４７ａと、中間部位である第２部位３４７ｂと、後部の第３部位３４７ｃとを有する。第１部位３４７ａは、第２支持部３４９の幅方向内方Ｋ４に位置する。第１部位３４７ａの前端には、幅方向Ｋ２の軸心を有する筒状のボス３５２が固定されている。ボス３５２は、枢支ピン３５０に軸心回りに回転自在に外嵌され且つ抜止めされている。また、第１部位３４７ａの下面には、取付軸３５３が設けられている。
【０１６８】
図３６に示すように、取付軸３５３は、円弧溝３５１を挿通する雄ネジ部３５３ａを有し、この雄ネジ部３５３ａには、第２支持部３４９の幅方向外方Ｋ３側でナット３５４が螺合している。このナット３５４を緩めることにより、第１フレーム体３４７（第２支持体３４６Ｌ）が、枢支ピン３５０回りに上下に揺動可能である。また、ナット３５４を締め付けることにより、上下に揺動させた位置で、第１フレーム体３４７（第２支持体３４６Ｌ）が固定される。これにより、第１フレーム体３４７が上下に位置調整可能とされている。第１フレーム体３４７を上下に位置調整することで覆土部材３０４が上下に位置調整可能とされている。
【０１６９】
図３４に示すように、第２部位３４７ｂは、第１部位３４７ａの後端から後方に行くに従って幅方向内方Ｋ４に移行する傾斜方向に延びている。第３部位３４７ｃは、第２部位３４７ｂの後端から後方に延びている。
図３４、図３５に示すように、第２フレーム体３４８（第２支持体３４６Ｌ）は、フィルム押え器３０３を上下位置調整可能に支持する第１支持部材３５６と、第１支持部材３５６を幅方向Ｋ２に位置調整可能に支持する第２支持部材３５７とを有する。
【０１７０】
第２支持部材３５７を先に説明する。図３５に示すように、第２支持部材３５７は、第１支持部材３５６を支持する支持フレーム３５８と、この支持フレーム３５８が取り付けられる取付体３５９とを有する。
図３４〜図３６に示すように、支持フレーム３５８は、ブラケット板３６０と、取付杆３６１と、ステー板３６２とを有する。ブラケット板３６０は、帯板材を折曲してＬ字形に形成され、縦板部３６０ａと、横板部３６０ｂとを有する。縦板部３６０ａは、縦方向（上下）に長く形成されている。横板部３６０ｂは、縦板部３６０ａの上端から幅方向内方Ｋ４に延出している。取付杆３６１は、縦板部３６０ａの下端に固定されている。また、取付杆３６１は、縦板部３６０ａから幅方向外方Ｋ３に突出状とされている。ステー板３６２は、横板部３６０ｂの突出方向の端部に固定されている。また、ステー板３６２は、横板部３６０ｂから前方突出状とされている。
【０１７１】
図３４〜図３６に示すように、取付体３５９は、第１フレーム体３４７の第２部位３４７ｂに固定されている。取付体３５９は、筒体（第５筒体）３６３と、固定具（第５固定具）３６４とを有する。第５筒体３６３は、幅方向Ｋ２の両側が開放した筒体であって、第１壁部３６３ａと、第２壁部３６３ｂと、第３壁部３６３ｃと、第４壁部３６３ｄとを有する。第１壁部３６３ａの前方に第２壁部３６３ｂが間隔をおいて設けられている。第１壁部３６３ａと第２壁部３６３ｂの下端同士は、第３壁部３６３ｃによって連結されている。第３壁部３６３ｃが、第１フレーム体３４７の第２部位３４７ｂの上面に固定されている。本実施形態では、第１壁部３６３ａ、第２壁部３６３ｂ及び第３壁部３６３ｃは、一枚の板材を折曲して上方に開放するチャンネル形状に形成されている。第４壁部３６３ｄは、第１壁部３６３ａと第２壁部３６３ｂの上端同士を連結している。第４壁部３６３ｄは、上下に厚い厚板によって形成され、厚さ方向に貫通するネジ穴（第５ネジ穴）３６５を有する。第５固定具３６４は、例えば、ボルトによって構成され、第５ネジ穴３６５に螺合されている。
【０１７２】
取付杆３６１は、第１壁部３６３ａと第２壁部３６３ｂの間で且つ第３壁部３６３ｃと第４壁部３６３ｄとの間に挿通されている。第５固定具３６４を第５ネジ穴３６５に対して螺進させる（締め付ける）ことにより、取付杆３６１が第３壁部３６３ｃに押し付けられて、取付体３５９に支持フレーム３５８が固定される。また、第５固定具３６４を第５ネジ穴３６５に対して螺退させる（弛緩させる）ことにより、取付体３５９に対して支持フレーム３５８が幅方向Ｋ２に移動可能となる。この第５固定具３６４の締め付け及び弛緩により、支持フレーム３５８が幅方向Ｋ２に位置調整できる。これにより、フィルム押え器３０３が幅方向Ｋ２に位置調整可能とされている。
【０１７３】
図３４〜図３６に示すように、第１支持部材３５６は、揺動部材３６６と、支持杆３６７と、付勢部材３６８とを有する。揺動部材３６６は、前後に長い帯板材によって形成されている。揺動部材３６６は、後部に筒部３６９を有する。筒部３６９は、縦板部３６０ａの下部に設けられた揺動支軸３７０に軸心回りに回転自在に外嵌されている。揺動支軸３７０は、縦板部３６０ａから幅方向内方Ｋ４に突出状とされている。揺動部材３６６は、前部が揺動支軸３７０回りに上下に揺動可能である。
【０１７４】
揺動部材３６６の前部には、回転支軸３７１が設けられている。この回転支軸３７１に、フィルム押え器３０３が回転自在に支持されている。フィルム押え器３０３は、車輪形状に形成され、フィルムロール３０１から巻き出されたマルチフィルムＦ１の上を転動しながら該マルチフィルムＦ１を押さえる（図３７Ｂ参照）。
図３６に示すように、支持杆３６７は、ロッドによって形成され、上下に長い縦杆部３６７ａと、縦杆部３６７ａの下端から幅方向外方Ｋ３に延出する軸部３６７ｂとを有する。縦杆部３６７ａの上部は、回転部材３７２を縦方向に（上下）に挿通している。回転部材３７２は、ステー板３６２の前部に幅方向Ｋ２の軸心回りに回転自在に支持されている。軸部３６７ｂは、揺動部材３６６の中途部（揺動支軸３７０と回転支軸３７１との間）に挿通されている。
【０１７５】
図３６に示すように、縦杆部３６７ａの上部には、複数の第１ピン穴３７３が長手方向に形成されている。複数の第１ピン穴３７３には、ベータピン等から成る第１ピン３７４が選択的に挿通される。第１ピン３７４と回転部材３７２との間には、ワッシャ３７５が設けられている。第１ピン３７４を他の第１ピン穴３７３に挿通する（複数の第１ピン穴３７３に対して第１ピン３７４を差し替える）ことにより、支持杆３６７の上下位置を調整することができる。支持杆３６７の上下位置を調整することにより、揺動部材３６６の上下位置を調整することができる。これによって、フィルム押え器３０３を上下に位置調整することができる。
【０１７６】
図３７Ｂに示すように、フィルム押え器３０３を、上下及び幅方向Ｋ２に位置調整することにより、フィルム押え器３０３を、第１押さえ位置と、第２押さえ位置とに位置調整可能である。第１押さえ位置Ｓ１は、畝Ｒ１の上面Ｒ２と側面Ｒ３とのコーナー部Ｒ４でマルチフィルムＦ１の端部を押さえる位置である。即ち、溝切り部材３０２の第１溝切り位置Ｐ１に対応する位置である。第２押さえ位置Ｓ２は、畝Ｒ１のコーナー部Ｒ４と側面Ｆ３の下端との間でマルチフィルムＦ１の端部を押さえる位置である。即ち、溝切り部材３０２の第２溝切り位置Ｐ２に対応する位置である。溝切り部材３０２の溝切り位置に対応してフィルム押え器３０３の押さえ位置が変更可能とされている。溝切り部材３０２の第３溝切り位置Ｐ３に対応するマルチフィルムＦ１の端部の押さえは、ゲージ輪２７Ｌ（２７Ｒ）によって行う。
【０１７７】
また、縦杆部３６７ａの下部には、複数の第２ピン穴３７６が長手方向に形成されている。複数の第２ピン穴３７６には、ベータピン等から成る第２ピン３７７が選択的に挿通される。
付勢部材３６８はコイルバネによって構成され、縦杆部３６７ａにおける回転部材３７２と第２ピン３７７との間に外嵌されている。付勢部材３６８と回転部材３７２との間には、ワッシャ３７８Ａが設けられている。付勢部材３６８と第２ピン３７７との間には、ワッシャ３７８Ｂが設けられている。付勢部材３６８の付勢力（バネ力）は、支持杆３６７及び揺動部材３６６を押し下げる方向に作用する。したがって、付勢部材３６８の付勢力によって、フィルム押え器３０３が下方に押圧される。また、第２ピン３７７を他の第２ピン穴３７６に挿通する（複数の第２ピン穴３７６に対して第２ピン３７７を差し替える）ことにより、付勢部材３６８の付勢力を変更することができる。
【０１７８】
図２８、図２９、図３４に示すように、覆土部材３０４は、支持装置３７９を介して第１フレーム体３４７に支持されている。支持装置３７９は、取付ステー３８０と、軸受部材３８１とを有する。
図３４、図３５に示すように、取付ステー３８０は、板材によって形成され、第１フレーム体３４７の第３部位３４７ｃに取り付けられた横壁３８０ａと、横壁３８０ａの後端から下方に延びる縦壁３８０ｂとを有する。横壁３８０ａは、後方に行くに従って幅方向外方Ｋ３に移行する傾斜状に配置され、第３部位３４７ｃの下面に重ね合わされている。また、横壁３８０ａには、後方に行くに従って幅方向外方Ｋ３に移行する傾斜方向に長い長穴３８２が形成されている。この長穴及び第３部位３４７ｃを貫通するボルト３８３及びこのボルト３８３に螺合されるナット３８４によって、横壁３８０ａ（取付ステー３８０）が第３部位３４７ｃに取り付けられている。横壁３８０ａ（取付ステー３８０）は、長穴３８２の長さ方向に位置調整可能である。縦壁３８０ｂには、取付ボルト３８５が後方側に突出状に固定されている。この取付ボルト３８５及び取付ボルト３８５に螺合されるナット３８６によって軸受部材３８１が回転自在に取り付けられている。この軸受部材３８１に覆土部材３０４が取り付けられている。覆土部材３０４は、ディスクによって形成されている、取付ステー３８０の位置を長穴３８２の範囲で位置調整することで、覆土部材３０４が、後方に行くに従って幅方向外方Ｋ３に移行する傾斜方向に位置調整可能とされている。
【０１７９】
上記のマルチフィルム敷設装置３００によれば、以下の作用効果を奏する。
マルチフィルム敷設装置３００は、移動可能な走行体１（トラクタ）に装着された支持枠２６と、支持枠２６に設けられ且つ支持枠２６の幅方向Ｋ２の軸心回りにマルチフィルムＦ１が巻回されたフィルムロール３０１と、フィルムロール３０１から巻き出されて圃場の畝Ｒ１に敷設されるマルチフィルムＦ１の幅方向Ｋ２の端部を埋め込むための埋込溝３２１を圃場に形成する溝切り部材３０２と、溝切り部材３０２を、上下位置調整可能で且つ幅方向Ｋ２に位置調整可能に支持する第１支持体３０６Ｌと、を備えている。これにより、支持枠２６の幅方向Ｋ２における埋込溝３２１の形成位置を変更することができ、幅の異なるマルチフィルムＦ１に対応して埋込溝３２１を形成することができる。
【０１８０】
また、溝切り部材３０２は、畝Ｒ１の上面Ｒ２と側面Ｒ３とのコーナー部Ｒ４に埋込溝３２１Ａを形成する位置である第１溝切り位置Ｐ１と、コーナー部Ｒ４と側面Ｒ３の下端との間に埋込溝３２１Ｂを形成する位置である第２溝切り位置Ｐ２と、幅方向Ｋ２で隣接する畝Ｒ１間に埋込溝３２１Ｃを形成する位置である第３溝切り位置Ｐ３とに位置調整可能である。これにより、溝切り部材３０２の幅広い位置調整が可能とされる。
【０１８１】
第１支持体３０６Ｌは、溝切り部材３０２が固定された第１部材３０７と、第１部材３０７を上下位置調整可能に支持する第２部材３０８と、第２部材３０８を幅方向Ｋ２に位置調整可能に支持する第３部材３０９とを有する。第１支持体３０６Ｌを、第１部材３０７と第２部材３０８と第３部材３０９とにわけることにより、第１支持体３０６Ｌの構成の容易化を図ることができる。
【０１８２】
また、マルチフィルム敷設装置３００は、畝Ｒ１に敷設されるマルチフィルムＦ１の端部を押さえるフィルム押え器３０３（フィルム押さえ部）と、フィルム押え器３０３（フィルム押さえ部）を上下位置調整可能で且つ幅方向Ｋ２に位置調整可能に支持する第２支持体３４６Ｌと、を備えている。これにより、フィルム押え器３０３（フィルム押さえ部）の位置を溝切り部材３０２の位置調整に対応させることができる。
【０１８３】
また、フィルム押え器３０３（フィルム押さえ部）は、畝Ｒ１の上面Ｒ２と側面Ｒ３とのコーナー部Ｒ４でマルチフィルムＦ１の端部を押さえる位置である第１押さえ位置Ｓ１と、コーナー部Ｒ４と側面Ｒ３の下端との間でマルチフィルムＦ１の端部を押さえる位置である第２押さえ位置Ｓ２とに位置調整可能である。これにより、溝切り部材３０２の第１溝切り位置Ｐ１及び第２溝切り位置Ｐ２に対応して、フィルム押え器３０３（フィルム押え部）を位置調整させることができる。
【０１８４】
また、マルチフィルム敷設装置３００は、支持枠２６を支持して幅方向Ｋ２で隣接する畝Ｒ１間（隣接する畝Ｒ１間溝の底部Ｒ５）を転動すると共にフィルム押え器３０３（フィルム押さえ部）の幅方向外方Ｋ３に配置されていてマルチフィルムの幅方向Ｋ２の端部を押さえ可能な支持輪２７Ｌ、２７Ｒ（ゲージ輪）を備えている。これにより、支持輪２７Ｌ、２７ＲをマルチフィルムＦ１の幅方向Ｋ２の端部を押さえる部材として利用することができる。また、フィルム押え器３０３（フィルム押さえ部）の幅方向外方Ｋ３に支持輪２７Ｌ、２７Ｒを配置することで、マルチフィルム敷設装置３００をコンパクトに構成することができる。
【０１８５】
また、第２支持体３４６Ｌは、フィルム押え器３０３（フィルム押さえ部）を上下位置調整可能に支持する第１支持部材３５６と、第１支持部材３５６を幅方向Ｋ２に位置調整可能に支持する第２支持部材３５７とを有する。第２支持体３４６Ｌを第１支持部材３５６と第２支持部材３５７とにわけることにより、第２支持体３４６Ｌの構成の容易化を図ることができる。
【０１８６】
また、マルチフィルム敷設装置３００は、フィルムロール３０１を軸心方向に貫通して支持するロール支軸３２８を備えている。これにより、フィルムロール３０１を軸心方向にわたって支持することができ、フィルムロール３０１の中間部分が下方に向けて湾曲するのを防止することができる。
また、第１支持体３０６Ｌは、ロール支軸３２８を上下位置調整可能に支持する軸支持部材３３３を有する。これにより、畝Ｒ１に対するフィルムロール３０１の高さを調整することができる。
【０１８７】
本実施形態では、マルチフィルム敷設装置３００は、耕耘と畝立てと植付とを行う作業機４に設けられているが、これに限定されることはない。例えば、マルチフィルム敷設装置は、単独で走行体に装着される装置であってもよい。また、耕耘と畝立てとを一工程で行い、植付を行わない作業機にマルチフィルム敷設装置３００を採用してもよい。
次に、覆土輪７４を支持する覆土フレーム４００について詳細に説明する。
【０１８８】
図３８は、移植ユニット５１Ａ（５１Ｂ）の後部の側面図を示している。図３９は、移植ユニット５１Ａ（５１Ｂ）における左の覆土輪７４ＡＬ（７４ＢＬ）及び覆土フレーム４００ＡＬ（４００ＢＬ）を示している。
図３８、図４０に示すように、フレーム支持部７３ＡＬは、上壁７３ａと、上壁７３ａの下方に位置する下壁７３ｂと、上壁７３ａと下壁との前端同士を連結する前壁７３ｃとを有する。図３９に示すように、フレーム支持部７３ＡＬの前壁７３ｃには、幅方向Ｋ２に長い調整溝４０１ａが形成されている。調整溝４０１ａの下方には、幅方向Ｋ２に長い調整溝４０１ｂが平行状に形成されている。フレーム支持部７３ＡＲ、フレーム支持部７３ＢＬ及びフレーム支持部７３ＢＲも、フレーム支持部７３ＡＬと同様に構成されている。
【０１８９】
一つの覆土輪７４は、一つの覆土フレーム４００で支持される。覆土フレーム４００ＡＬと、覆土フレーム４００ＡＲと、覆土フレーム４００ＢＬと、覆土フレーム４００ＢＲとは、構造が同じであるので、以下の説明では、一つの覆土フレーム４００について説明する。
先ず、覆土フレーム４００の概要を説明する。
【０１９０】
図３８、図３９に示すように、覆土フレーム４００は、移植フレーム６９Ａ（６９Ｂ）に設けられた縦支持部材４０２を有し、覆土輪７４を縦支持部材４０２の周りに位置調整可能で且つ移植フレーム６９Ａ（６９Ｂ）の幅方向Ｋ２に調整可能である。また、覆土フレーム４００は、移植フレーム６９Ａ（６９Ｂ）に支持された第１フレーム４０３と、この第１フレーム４０３に支持された第２フレーム４０４とを有する。第１フレーム４０３は、縦支持部材４０２を含む。第２フレーム４０４は、第１フレーム４０３に縦支持部材４０２の周りに位置調整可能に支持されている。また、第２フレーム４０４は、覆土輪７４を支持する。
【０１９１】
以下、覆土フレーム４００について詳細に説明する。
図３８、図３９に示すように、第１フレーム４０３は、縦支持部材４０２と、移植フレーム６９Ａ（６９Ｂ）に取り付けられるブラケット部材４０５と、ブラケット部材４０５に縦支持部材４０２を昇降可能に連結する平行リンク４０６と、縦支持部材４０２とブラケット部材４０５とに亘って掛け渡されていて覆土輪７４を下方に付勢するスプリング４０７と、第２フレーム４０４を取り付ける第２フレーム取付部４０８を有する。縦支持部材４０２は、ブラケット部材４０５の前方に配置されている。縦支持部材４０２は、縦方向（上下の方向）に長い部材（縦長の部材）によって構成されている。
【０１９２】
図４０、図４１に示すように、縦支持部材４０２は、第１壁４０２ａと、第２壁４０２ｂと、第３壁４０２ｃとを有する。第１壁４０２ａと第２壁４０２ｂとは幅方向Ｋ２で間隔をおいて並べて設けられている。第３壁４０２ｃは、第１壁４０２ａと第２壁４０２ｂとの前端同士を縦方向にわたって連結している。図３８に示すように、第１壁４０２ａには、縦方向に間隔をおいて複数の孔（第１孔）４０９が形成されている。第２壁４０２ｂにも、縦方向に間隔をおいて複数の孔（第２孔）４１０が形成されている。第１孔４０９と第２孔４１０とは、同数で且つ幅方向Ｋ２に対応して形成されている。幅方向Ｋ２で対応する第１孔４０９と第２孔４１０とは、同心状に形成されている。
【０１９３】
図４０、図４２に示すように、ブラケット部材４０５は、フレーム支持部７３に幅方向Ｋ２に位置調整可能に取り付けられている。言い換えると、移植フレーム６９Ａ（６９Ｂ）は、ブラケット部材４０５を幅方向Ｋ２に位置調整可能に取り付けるフレーム支持部７３を有する。ブラケット部材４０５は、一側壁４０５ａと、他側壁４０５ｂと、連結壁４０５ｃと、規制壁４０５ｄとを有する。一側壁４０５ａと他側壁４０５ｂとは幅方向Ｋ２で間隔をおいて並べて設けられている。連結壁４０５ｃは、一側壁４０５ａと他側壁４０５ｂの後端同士を連結している。連結壁４０５ｃは、フレーム支持部７３の前壁７３ｃの前面に重ね合わされている。連結壁４０５ｃは、ボルト４１１ａ及びナット４１１ｂで構成された２つの締結具４１１によってフレーム支持部７３に取り付けられている。詳細には、ボルト４１１ａは、調整溝４０１ａ，４０１ｂを挿通すると共に連結壁４０５ｃを貫通している。ナット４１１ｂは、連結壁４０５ｃの前側でボルト４１１ａに螺合している。締結具４１１を締め付けることにより、ブラケット部材４０５がフレーム支持部７３に移動不能に固定される。締結具４１１を緩めることにより、ブラケット部材４０５がフレーム支持部７３に幅方向Ｋ２に移動可能となる。これによって、ブラケット部材４０５（覆土フレーム４００）がフレーム支持部７３（移植フレーム６９Ａ（６９Ｂ））に対して幅方向Ｋ２に位置調整可能に支持されている。ブラケット部材４０５を幅方向Ｋ２に位置調整することにより、覆土フレーム４００が幅方向Ｋ２に位置調整される。これにより、覆土輪７４が幅方向Ｋ２に位置調整される。即ち、移植機３は、移植フレーム６９Ａ（６９Ｂ）の幅方向に調整可能な覆土フレーム７４を備えている。
【０１９４】
また、本実施形態の植付装置６８Ａ（６８Ｂ）は、植付機構６８ＡＬ，６８ＡＲ（６８ＢＬ，６８ＢＲ）を揺動させることにより、植付具１３７ＡＬ，１３７ＡＲ（１３７ＢＬ，１３７ＢＲ）を移植フレーム６９Ａ（６９Ｂ）の幅方向Ｋ２に位置変更することができる。ブラケット部材４０５（覆土フレーム４００）を幅方向Ｋ２に位置調整することで、覆土輪７４ＡＬ，７４ＡＲ（７４ＢＬ，７４ＢＲ）の位置を、植付具１３７ＡＬ，１３７ＡＲ（１３７ＢＬ，１３７ＢＲ）の位置変更に対応して位置変更させることができる。
【０１９５】
図３８、図４０に示すように、一側壁４０５ａと他側壁４０５ｂとの下部は、前方に向けて延出状に形成された延出部４０５ｅを有する。規制壁４０５ｄは、一側壁４０５ａと他側壁４０５ｂの延出部４０５ｅにわたって設けられている。
図４０に示すように、平行リンク４０６は、縦支持部材４０２とブラケット部材４０５とにわたって設けられている。平行リンク４０６は、アッパーリンク４０６Ｕと、アッパーリンク４０６Ｕの下方に配置されたロワーリンク４０６Ｄとを含む。アッパーリンク４０６Ｕの前端に、筒部材（第１筒）４１２が設けられている。アッパーリンク４０６Ｕの後端にも、筒部材（第２筒）４１３が設けられている。ロワーリンク４０６Ｄの前端に、筒部材（第３筒）４１４が設けられている。ロワーリンク４０６Ｄの後端にも、筒部材（第４筒）４１５が設けられている。
【０１９６】
図４１に示すように、第１筒４１２は、第１壁４０２ａと第２壁４０２ｂとの間に配置されている。第１筒４１２、第１孔４０９及び第２孔４１０とにわたって第１リンクピン４１６が挿通されている。即ち、アッパーリンク４０６Ｕの前端部が縦支持部材４０２に第１リンクピン４１６を介して枢支（回転自在に支持）されている。第１リンクピン４１６は、縦支持部材４０２から幅方向Ｋ２一方及び他方に突出している。第１リンクピン４１６の一端部には、掛合部（第１掛合部）４１７が設けられている。第１リンクピン４１６の他端部には、掛合部（第２掛合部）４１８が設けられている。
【０１９７】
図４２に示すように、第２筒４１３は、一側壁４０５ａと他側壁４０５ｂとの間に配置されている。第２筒４１３と、一側壁４０５ａ及び他側壁４０５ｂとにわたって第２リンクピン４１９が挿通されている。即ち、アッパーリンク４０６Ｕの後端部がブラケット部材４０５に第２リンクピン４１９を介して枢支（回転自在に支持）されている。第２リンクピン４１９は、ブラケット部材４０５から幅方向Ｋ２一方及び他方に突出している。第２リンクピン４１９の一端部には、掛合部（第３掛合部）４２０が設けられている。第２リンクピン４１９の他端部には、掛合部（第４掛合部）４２１が設けられている。
【０１９８】
図４１に示すように、第３筒４１４は、第１壁４０２ａと第２壁４０２ｂとの間に配置されている。第３筒４１４と、第１孔４０９及び第２孔４１０とにわたって第３リンクピン４２２が挿通されている。即ち、ロワーリンク４０６Ｄの前端部が縦支持部材４０２に第３リンクピン４２２を介して枢支（回転自在に支持）されている。第３リンクピン４２２の一端部は、第１壁４０２ａから突出している。この第３リンクピン４２２の一端部には、固定板（第１固定板）４２３の一端部が固定されている。第１固定板４２３の他端部は、第１リンクピン４１６の一端部に固定されている。第３リンクピン４２２の他端部には、ネジ穴４２４が形成されている。このネジ穴４２４に固定ボルト４２５が螺合している。これにより、第１リンクピン４１６、第３リンクピン４２２、第１筒４１２及び第３筒４１４が縦支持部材４０２に取り付けられている。
【０１９９】
また、固定ボルト４２５をネジ穴４２４から抜脱することにより、第１リンクピン４１６を第１筒４１２、第１孔４０９及び第２孔４１０から抜脱できると共に第３リンクピン４２２を第３筒４１４及び第１孔から抜脱することができる。即ち、縦支持部材４０２に対して、第１リンクピン４１６、第３リンクピン４２２、第１筒４１２及び第３筒４１４を取り外すことができる。また、第１リンクピン４１６、第３リンクピン４２２、第１筒４１２及び第３筒４１４を取り外した状態で、縦支持部材４０２を上下に位置変更し、変更した位置で、縦支持部材４０２に第１リンクピン４１６、第３リンクピン４２２、第１筒４１２及び第３筒４１４を取り付けることにより、平行リンク４０６に対して縦支持部材４０２を上下に位置調整することができる。言い換えると、平行リンク４０６は、縦支持部材４０２に上下位置調整可能に取り付けられている。縦支持部材４０２を上下に位置調整することにより、移植フレーム６９Ａ（６９Ｂ）の高さ変更に対応して覆土輪７４の高さを変更することができる。
【０２００】
図４２に示すように、第４筒４１５は、一側壁４０５ａと他側壁４０５ｂとの間に配置されている。第４筒４１５と、一側壁４０５ａ及び他側壁４０５ｂとにわたって第４リンクピン４２６が挿通されている。即ち、ロワーリンク４０６Ｄの後端部がブラケット部材４０５に第４リンクピン４２６を介して枢支（回転自在に支持）されている。第４リンクピン４２６は、ブラケット部材４０５から幅方向Ｋ２一方及び他方に突出している。第４リンクピン４２６の一端部には、掛合部（第５掛合部）４２７が設けられている。第４リンクピン４２６の他端部には、掛合部（第６掛合部）４２８が設けられている。
【０２０１】
図４２に示すように、第２リンクピン４１９と第４リンクピン４２６との間には、取付ピン４２９が設けられている。取付ピン４２９は、一側壁４０５ａと他側壁４０５ｂとにわたって挿通されている。取付ピン４２９の一端部には、ネジ穴４３０が形成されている。このネジ穴４３０に固定ボルト４３１が螺合している。固定ボルト４３１は、一側壁４０５ａを貫通してネジ穴４３０に螺合している。取付ピン４２９の他端部には、固定板（第２固定板）４３２の中途部が固定されている。第２固定板４３２の一端部は、第２リンクピン４１９の他端部に固定されている。第２固定板４３２の他端部は、第４リンクピン４２６の他端部に固定されている。これにより、第２リンクピン４１９及び第４リンクピン４２６がブラケット部材４０５に取り付けられている。
【０２０２】
以上のように、１つの覆土フレーム４００は１つの覆土輪７４を昇降自在に支持する。これにより、１台の植付機構６８に対応する２つの覆土輪７４のうち一方の覆土輪７４が畝Ｒ１から浮くということはなく、該２つの覆土輪７４を常に畝Ｒ１に追従させることができる。なお、１つの覆土フレームによって複数の覆土輪を支持するようにしてもよい。
図４０に示すように、ロワーリンク４０６Ｄが規制壁４０５ｄに当接することにより、ブラケット部材４０５に対する縦支持部材４０２の下方移動が規制されている。
【０２０３】
図４３,図４４に示すように、スプリング４０７は、コイルスプリングによって形成されている。スプリング４０７は、縦支持部材４０２の一側方に配置された第１スプリング４０７Ｌと、縦支持部材４０２の他側方に配置された第２スプリング４０７Ｒとを含む。第１スプリング４０７Ｌの一端は、第１掛合部４１７に引っ掛けられている（図４３参照）。第１スプリング４０７Ｌの他端は、第３掛合部４２０又は第５掛合部４２７に選択的に引っ掛けられる。図例では、第５掛合部４２７に引っ掛けられている（図４４参照）。また、第２スプリング４０７Ｒの一端は、第２掛合部４１８に引っ掛けられている（図４３参照）。第２スプリング４０７Ｒの他端は、第４掛合部４２１又は第６掛合部４２８に選択的に引っ掛けられる。図例では、第６掛合部４２８に引っ掛けられている（図４４参照）。スプリング４０７の付勢力によって、覆土輪７４が下方に付勢される。言い換えると、スプリング４０７は、覆土輪７４に覆土圧を作用させる。
【０２０４】
また、第１スプリング４０７Ｌの他端を第３掛合部４２０又は第５掛合部４２７に選択的に引っ掛けることで付勢力を変更することができる。また、第２スプリング４０７Ｒの他端を第４掛合部４２１又は第６掛合部４２８に選択的に引っ掛けることによっても付勢力を変更することができる。本実施形態では、スプリング４０７の付勢力を３段階に変更することができる。第１段階の付勢力は、第１スプリング４０７Ｌの他端を第３掛合部４２０に引っ掛けると共に第２スプリング４０７Ｒの他端を第４掛合部４２１に引っ掛けた状態の付勢力である。第２段階の付勢力は、第１スプリング４０７Ｌの他端を第３掛合部４２０に引っ掛けると共に第２スプリング４０７Ｒの他端を第６掛合部４２８に引っ掛けた状態の付勢力、或いは、第１スプリング４０７Ｌの他端を第５掛合部４２７に引っ掛けると共に第２スプリング４０７Ｒの他端を第４掛合部４２１に引っ掛けた状態の付勢力である。第３段階の付勢力は、第１スプリング４０７Ｌの他端を第５掛合部４２７に引っ掛けると共に第２スプリング４０７Ｒの他端を第６掛合部４２８に引っ掛けた状態の付勢力である。
【０２０５】
また、移植フレーム６９Ａ（６９Ｂ）を高さ変更をする際に、縦支持部材４０２を上下に位置調整することで覆土輪７４の高さが変更できるので、移植フレーム６９Ａ（６９Ｂ）の高さ変更に対応する覆土圧の設定変更は不要である。
図４５Ａ、図４５Ｂに示すように、第２フレーム取付部４０８は、板面が上下を向く板材によって形成され、縦支持部材４０２の下端に固定されている。第２フレーム取付部４０８は、縦支持部材４０２から一側方及び他側方に延出されている。第２フレーム４０４部材における縦支持部材４０２の一側方には、第１ガイド溝４３３が形成されている。第２フレーム４０４部材における縦支持部材４０２の他側方には、第２ガイド溝４３４が形成されている。第１ガイド溝４３３及び第２ガイド溝４３４は、第１壁４０２ａと第２壁４０２ｂとの間に位置する縦方向の線Ｏ１を中心とする円弧状に形成されている。また、第１ガイド溝４３３及び第２ガイド溝４３４は、第２フレーム取付部４０８を板厚方向に貫通して形成されている。
【０２０６】
図３８、図３９に示すように、第２フレーム４０４は、覆土輪７４を支持する第１支持ブラケット４３６と、第１支持ブラケット４３６を支持する第２支持ブラケット４３７とを有する。また、第２フレーム４０４は、第１支持ブラケット４３６に設けられた支軸４３８を有する。この支軸４３８は、覆土輪７４を回転自在に支持する軸である。即ち、第１支持ブラケット４３６は、覆土輪７４を回転自在に支持する。また、第２フレーム４０４は、縦支持部材４０２に取り付けられる取付ブラケット４３９（取付部）を有する。取付ブラケット４３９は、第２支持ブラケット４３７の前部で且つ支軸４３８より前方に設けられている。
【０２０７】
図４５Ａ、図４５Ｂに示すように、取付ブラケット４３９は、上壁４３９ａと、上壁４３９ａの前端から下方に延びる前壁４３９ｂと、上壁４３９ａの後端から下方に延びる後壁４３９ｃとを有する。上壁４３９ａは、第２フレーム取付部４０８の下面に重ね合わされている。上壁４３９ａには、第１ガイド溝４３３に対応する第１ボルト穴４４０と、第２ガイド溝４３４に対応する第２ボルト穴４４１とが形成されている。第１ガイド溝４３３及び第１ボルト穴４４０には、上方からボルト４４２が挿通され、このボルト４４２には、上壁４３９ａの下面側でナット４４３が螺合されている。また、第２ガイド溝４３４及び第２ボルト穴４４１にも、上方からボルト４４４が挿通されている。このボルト４４４には、上壁４３９ａの下面側でナット４４５が螺合されている（図４５Ａ参照）。これにより、第１フレーム４０３が第２フレーム４０４に取り付けられている。ボルト４４２，４４４及びナット４４３，４４５を緩めることにより、第２フレーム４０４（の後部）が縦方向の線Ｏ１回りに揺動可能となる。また、第１フレーム４０３を揺動した位置でボルト４４２，４４４及びナット４４３，４４５を締め付けることにより、第２フレーム４０４に対して第１フレーム４０３が固定される。即ち、覆土輪７４は、第１フレーム４０３と共に縦支持部材４０２周りに位置調整可能である。言い換えると、第１フレーム４０３は、縦支持部材４０２の周りに位置調整可能に取り付けられる取付部４３９を有する。覆土輪７４は、縦支持部材４０２の周りに位置調整されることにより、縦方向の線Ｏ１回りに揺動する（図４７参照）。即ち、覆土輪７４は、縦支持部材４０２の周りに角度調整することができる。第２フレーム取付部４０８及び取付ブラケット４３９並びにボルト４４２，４４４、ナット４４３，４４５は、覆土輪７４を角度調整する角度調整部４４６を構成する。なお、覆土輪７４は、縦支持部材４０２の周りの位置調整により、幅方向Ｋ２の位置も変わる。
【０２０８】
覆土輪７４を縦支持部材４０２の周りに位置調整（角度調整）すること、及び、覆土輪７４をフレーム支持部７３に沿って移植フレーム６９Ａ（６９Ｂ）の幅方向Ｋ２に位置調整することにより、覆土輪７４の位置を微調整することができる。これにより、植え付けられる苗に対して、覆土輪７４の位置を適切な位置にすることができる。
図４７に示すように、第１支持ブラケット４３６は、板材から構成され、一側壁４３６ａと、他側壁４３６ｂと、前壁４３６ｃと、後壁４３６ｄとを有する。一側壁４３６ａと他側壁４３６ｂとは、幅方向Ｋ２で間隔をおいて並べて設けられている。前壁４３６ｃは、他側壁４３６ｂの前端から一側壁４３６ａの前端へと延びていて、一側壁４３６ａと他側壁４３６ｂの前端同士を連結している。後壁４３６ｄは、一側壁４３６ａの後端から他側壁４３６ｂの後端へと延びていて、一側壁４３６ａと他側壁４３６ｂの後端同士を連結している。一側壁４３６ａと他側壁４３６ｂの間には、覆土輪７４が配置されている。覆土輪７４の中心には軸ボスが設けられている。この軸ボス及び一側壁４３６ａ並びに他側壁４３６ｂを支軸４３８が回転自在に挿通している。これによって、第１支持ブラケット４３６（第１フレーム４０３）に覆土輪７４が回転自在に支持されている。
【０２０９】
図３８、図３９に示すように、第２支持ブラケット４３７は、パイプ材から構成され、縦支持部材４０２の下方にて前後に延びる上杆部４３７ａと、上杆部４３７ａの前端部から下方に延びる前杆部４３７ｂと、上杆部４３７ａの後端部から下方に延びる後杆部４３７ｃとを有する。上杆部４３７ａの前部に取付ブラケット４３９が固定されている。
図４６に示すように、前杆部４３７ｂの下部は、パイプ材をつぶして形成された前支持部４３７ｄが形成されている。前支持部４３７ｄは、前壁４３６ｃの前面の中央部に重ね合わされ、且つ前壁４３６ｃに、ボルト４４８ａ（前後軸）及びナット４４８ｂからなる第１締結部材４４８によって固定されている。また、後杆部４３７ｃには、パイプ材をつぶして形成された後支持部４３７ｅが形成されている。後支持部４３７ｅは、後壁４３６ｄの後面の中央部に重ね合わされ、且つ後壁４３６ｄに、ボルト４４９ａ（前後軸）及びナット４４９ｂからなる第２締結部材４４９によって固定されている。第１締結部材４４８及び第２締結部材４４９のボルト４４８ａ，４４９ａは、共通の前後方向の軸心Ｏ２を有する。
【０２１０】
第１締結部材４４８及び第２締結部材４４９を緩めることにより、第２支持ブラケット４３７及び覆土輪７４が、第１支持ブラケット４３６に対して前後軸回りに（軸線Ｏ２回りに）回転自在とされる。第１締結部材４４８及び第２締結部材４４９を締め付けることにより、第２支持ブラケット４３７及び覆土輪７４が、第１支持ブラケット４３６に対して前後軸回りに回転不能とされる。これによって、第２支持ブラケット４３７及び覆土輪７４が、第１支持ブラケット４３６に前後軸（軸線Ｏ２）回りに位置調整可能に支持されている。言い換えると、覆土輪７４は、前後軸（軸線Ｏ２）回りに位置調整することで、縦方向（鉛直方向）に対して角度調整が可能とされている（図３９仮想線参照）。
【０２１１】
図４６、図４７に示すように、後支持部４３７ｅに、覆土輪７４の外周に付着した泥土を落とすためのスクレーパ４５０が取り付けられている。スクレーパ４５０は、第２締結部材４４９によって後支持部４３７ｅに固着される固着部４５０ａと、覆土輪７４の外周に当接する作用部４５０ｂと、他側壁４３６ｂに当接する回止め部４５０ｃとを有する。
本実施形態の移植機３は、以下に示す作用効果を奏する。
【０２１２】
移植機３は、圃場Ｈ１に苗を植え付ける植付装置６８Ａ（６８Ｂ）と、植付装置６８Ａ（６８Ｂ）を支持する移植フレーム６９Ａ（６９Ｂ）と、植付装置６８Ａ（６８Ｂ）で植え付けた苗に側方から土寄せする覆土輪７４と、移植フレーム６９Ａ（６９Ｂ）に設けられた縦支持部材４０２を有し、覆土輪７４を縦支持部材４０２の周りに位置調整可能で且つ移植フレーム６９Ａ（６９Ｂ）の幅方向Ｋ２に調整可能な覆土フレーム４００と、を備えている。即ち、覆土輪７４は、縦支持部材４０２の周りの位置調整（縦方向の線Ｏ１回りの角度調整）と、移植フレーム６９Ａ（６９Ｂ）の幅方向Ｋ２の位置調整とを行うことができる。これにより、覆土輪７４の位置を微調整することができる。
【０２１３】
また、覆土フレーム４００は、縦支持部材４０２を含む第１フレーム４０３と、第１フレーム４０３に縦支持部材４０２の周りに位置調整可能に支持されたフレームであって覆土輪７４を支持する第２フレーム４０４とを有する。覆土フレーム４００を、移植フレーム６９Ａ（６９Ｂ）に支持される第１フレーム４０３と、覆土輪７４を支持する第２フレーム４０４とにわけることにより、覆土フレーム４００の構造を簡素化することができる。
【０２１４】
また、第２フレーム４０４は、覆土輪７４を回転自在に支持する第１支持ブラケット４３６と、第１支持ブラケット４３６を前後軸回りに位置調整可能に支持する第２支持ブラケット４３７とを有する。これにより、覆土輪７４を前後軸回りに角度調整することができ、覆土輪７４の姿勢を適切な姿勢とすることができる。
また、第２フレーム４０４は、第１支持ブラケット４３６に設けられていて覆土輪７４を回転自在に支持する支軸４３８と、第２支持ブラケット４３７の前部で且つ支軸４３８より前方に設けられていて、縦支持部材４０２に、該縦支持部材４０２の周りに位置調整可能に取り付けられる取付部とを有する。これによれば、第２支持ブラケット４３７を縦支持部材４０２の周りに位置調整することで、覆土輪７４が縦支持部材４０２の周りに揺動し、覆土輪７４を縦支持部材４０２の周りに角度調整することができる。
【０２１５】
また、第１フレーム４０３は、移植フレーム６９Ａ（６９Ｂ）に取り付けられるブラケット部材４０５と、ブラケット部材４０５に縦支持部材４０２を昇降可能に連結する平行リンク４０６とを有する。これにより、覆土輪７４を接地面に追従させることができる。また、覆土輪７４を平行リンク４０６で昇降させるので、省スペース化を図ることができる。
【０２１６】
また、移植フレーム６９Ａ（６９Ｂ）は、ブラケット部材４０５を幅方向Ｋ２に位置調整可能に取り付けるフレーム支持部７３を有する。これにより、覆土フレーム４００と共に覆土輪７４を幅方向Ｋ２に位置調整することができる。
また、移植フレーム６９Ａ（６９Ｂ）は、上下位置調整可能とされ、平行リンク４０６は、縦支持部材４０２に上下位置調整可能に取り付けられている。これにより、移植フレーム６９Ａ（６９Ｂ）の高さ変更に対応して覆土輪７４の高さを変更することができる。
【０２１７】
また、覆土フレーム４００は、縦支持部材４０２とブラケット部材４０５とに亘って掛け渡されていて覆土輪７４を下方に付勢するスプリング４０７を有する。これにより、覆土輪７４に覆土圧をかけることができる。
また、平行リンク４０６は、縦支持部材４０２に第１リンクピン４１６を介して枢支され且つブラケット部材４０５に第２リンクピン４１９を介して枢支されたアッパーリンク４０６Ｕと、アッパーリンク４０６Ｕの下方に位置すると共に縦支持部材４０２に第３リンクピン４２２を介して枢支され且つブラケット部材４０５に第４リンクピン４２６を介して枢支されたロワーリンク４０６Ｄとを有し、第１リンクピン４１６、第３リンクピン４２２及び第４リンクピン４２６に、スプリング４０７を引っ掛ける掛合部が設けられている。これにより、覆土輪７４に対する付勢力を複数段階に調整することができる。
【０２１８】
以上、本発明について説明したが、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０２１９】
６８Ａ    植付装置
６８Ｂ    植付装置
６９Ａ    移植フレーム
６９Ｂ    移植フレーム
７３ＡＬ  フレーム支持部
７３ＡＲ  フレーム支持部
７３ＢＬ  フレーム支持部
７３ＢＲ  フレーム支持部
７４ＡＬ  覆土輪
７４ＡＲ  覆土輪
７４ＢＬ  覆土輪
７４ＢＲ  覆土輪
４００ＡＬ  覆土フレーム
４００ＡＲ  覆土フレーム
４００ＢＬ  覆土フレーム
４００ＢＲ  覆土フレーム
４０２      縦支持部材
４０３      第１フレーム
４０４      第２フレーム
４０５      ブラケット部材
４０６      平行リンク
４０６Ｕ    アッパーリンク
４０６Ｄ    ロワーリンク
４０７      スプリング
４１６      第１リンクピン
４１７      掛合部（第１掛合部）
４１８      掛合部（第２掛合部）
４１９      第２リンクピン
４２０      掛合部（第３掛合部）
４２２      第３リンクピン
４２４      掛合部（第４掛合部）
４２６      第４リンクピン
４２７      掛合部（第５掛合部）
４２８      掛合部（第６掛合部）
４３６      第１支持ブラケット
４３７      第２支持ブラケット
４３８      支軸
４３９      取付部（取付ブラケット）
４４２      前後軸（ボルト）
４４４      前後軸（ボルト）
Ｈ１    圃場
Ｋ２    幅方向
【図１】
2018000029.tif 000003
【図２】
2018000029.tif 000004
【図３】
2018000029.tif 000005
【図４】
2018000029.tif 000006
【図５】
2018000029.tif 000007
【図６】
2018000029.tif 000008
【図７】
2018000029.tif 000009
【図８】
2018000029.tif 000010
【図９】
2018000029.tif 000011
【図１０】
2018000029.tif 000012
【図１１】
2018000029.tif 000013
【図１２】
2018000029.tif 000014
【図１３】
2018000029.tif 000015
【図１４】
2018000029.tif 000016
【図１５】
2018000029.tif 000017
【図１６】
2018000029.tif 000018
【図１７】
2018000029.tif 000019
【図１８】
2018000029.tif 000020
【図１９】
2018000029.tif 000021
【図２０】
2018000029.tif 000022
【図２１】
2018000029.tif 000023
【図２２】
2018000029.tif 000024
【図２３】
2018000029.tif 000025
【図２４】
2018000029.tif 000026
【図２５】
2018000029.tif 000027
【図２６】
2018000029.tif 000028
【図２７】
2018000029.tif 000029
【図２８Ａ】
2018000029.tif 000030
【図２８Ｂ】
2018000029.tif 000031
【図２９】
2018000029.tif 000032
【図３０】
2018000029.tif 000033
【図３１】
2018000029.tif 000034
【図３２】
2018000029.tif 000035
【図３３】
2018000029.tif 000036
【図３４】
2018000029.tif 000037
【図３５】
2018000029.tif 000038
【図３６】
2018000029.tif 000039
【図３７Ａ】
2018000029.tif 000040
【図３７Ｂ】
2018000029.tif 000041
【図３８】
2018000029.tif 000042
【図３９】
2018000029.tif 000043
【図４０】
2018000029.tif 000044
【図４１】
2018000029.tif 000045
【図４２】
2018000029.tif 000046
【図４３】
2018000029.tif 000047
【図４４】
2018000029.tif 000048
【図４５Ａ】
2018000029.tif 000049
【図４５Ｂ】
2018000029.tif 000050
【図４６】
2018000029.tif 000051
【図４７】
2018000029.tif 000052